(57)【特許請求の範囲】
【請求項１】
イエローインク、マゼンタインクおよびシアンインクを含むインクジェット記録用インクセットであって、
前記イエローインクが、イエロー着色剤、水および水溶性有機溶剤を含み、前記イエロー着色剤が下記一般式（Ｙ−１）で表される染料（Ｙ−１）、前記水溶性有機溶剤が多価アルコールを含み；
前記マゼンタインクが、マゼンタ着色剤、水、水溶性有機溶剤およびアセチレングリコール系界面活性剤を含み、前記マゼンタ着色剤が下記一般式（Ｍ−１）で表される染料（Ｍ−１）、前記水溶性有機溶剤がジプロピレングリコールプロピルエーテル、前記アセチレングリコール系界面活性剤が下記一般式（１）で表される界面活性剤を含み、且つ、前記ジプロピレングリコールプロピルエーテルおよび前記一般式（１）で表される界面活性剤が、それぞれ、下記（ｉ）および（ｉｉ）の条件を満たすように配合され；
（ｉ）      ０．５≦ｘ≦２．５
（ｉｉ）    １≦ｙ≦３
ｘ：マゼンタインク全量に対する一般式（１）で表される界面活性剤の配合量（重量％）
ｙ：マゼンタインク全量に対するジプロピレングリコールプロピルエーテルの配合量（重量％）
前記シアンインクが、シアン着色剤、水および水溶性有機溶剤を含み、前記シアン着色剤が下記一般式（Ｃ−１）で表される染料（Ｃ−１）および下記一般式（Ｃ−２）で表される染料（Ｃ−２）を含み、
前記イエローインクにおいて、前記多価アルコールはグリセリンを含んでも含まなくてもよく、前記染料（Ｙ−１）およびグリセリンの配合割合が、下記（ｉｖ’）の条件を満たすように設定されており、
（ｉｖ’）  ０≦Ｙ２≦３．５Ｘ
Ｘ  ：イエローインク全量に対する前記染料（Ｙ−１）の配合割合（重量％）
Ｙ２：イエローインク全量に対するグリセリンの配合割合（重量％）
前記マゼンタインクにおいて、さらに、前記ジプロピレングリコールプロピルエーテルおよび前記一般式（１）で表される界面活性剤が、それぞれ、下記（ｖ）の条件を満たすように配合されおり、
（ｖ）      ｙ≧−２ｘ＋３  且つ  ｙ≦−２ｘ＋６
ｘ：マゼンタインク全量に対する一般式（１）で表される界面活性剤の配合量（重量％）
ｙ：マゼンタインク全量に対するジプロピレングリコールプロピルエーテルの配合量（重量％）
前記シアンインクにおける前記染料（Ｃ−１）と前記染料（Ｃ−２）との重量比が、染料（Ｃ−１）：染料（Ｃ−２）＝７０：３０〜９５：５であることを特徴とするインクジェット記録用インクセット。
【化１】
0005522502.tif 000044
前記一般式（Ｙ−１）において、
Ｒ１、Ｒ２、Ｙ１およびＹ２は、それぞれ、一価の基であり、Ｒ１、Ｒ２、Ｙ１およびＹ２は同一でも異なっていてもよく、
Ｘ１およびＸ２は、それぞれ、電子吸引性基であり、Ｘ１およびＸ２は同一でも異なっていてもよく、
Ｚ１およびＺ２は、それぞれ、水素原子、置換または無置換のアルキル基、置換または無置換のアルケニル基、置換または無置換のアルキニル基、置換または無置換のアリール基、置換または無置換のヘテロ環基であり、Ｚ１およびＺ２は同一でも異なっていてもよく、
Ｍ１は、水素原子、アルカリ金属原子、ＮＨ４またはＮＲ４（Ｒは、アルキル基またはアリール基）である。
【化２】
0005522502.tif 000045
前記一般式（Ｍ−１）において、
Ｒ１１は、水素原子、置換または無置換のアルキル基、置換または無置換のアリール基であり、
Ｒ１２は、水素原子、ハロゲン原子またはシアノ基であり、
Ｒ１３は、水素原子、置換または無置換のアルキル基、置換または無置換のアリール基、置換または無置換のヘテロ環基であり、
Ｒ１４、Ｒ１５、Ｒ１６およびＲ１７は、それぞれ、水素原子、置換または無置換のアルキル基、置換または無置換のアリール基、置換または無置換のヘテロ環基、置換または無置換のスルホニル基、置換または無置換のアシル基であり、Ｒ１４、Ｒ１５、Ｒ１６およびＲ１７は同一でも異なっていてもよいが、Ｒ１４とＲ１５が共に水素原子であることはなく、Ｒ１６とＲ１７が共に水素原子であることはなく、
Ａ１およびＡ２は、双方が置換または無置換の炭素原子であるか、若しくは一方が置換または無置換の炭素原子であり、且つ、他方が窒素原子である。
【化３】
0005522502.tif 000046
前記一般式（Ｃ−１）において、
Ｐｃ（Ｃｕ）は、下記一般式（Ｐｃ）で表される銅フタロシアニン核であり、
Ｒ３１、Ｒ３２、Ｒ３３およびＲ３４は、それぞれ、−ＳＯ２Ｒａ、−ＳＯ２ＮＲｂＲｃおよび−ＣＯ２Ｒａからなる群から選択される置換基であり、Ｒ３１、Ｒ３２、Ｒ３３およびＲ３４のすべてが同一であることはなく、Ｒ３１、Ｒ３２、Ｒ３３およびＲ３４の少なくとも一つは、イオン性親水性基を置換基として有し、Ｒ３１、Ｒ３２、Ｒ３３およびＲ３４の少なくとも一つは、一般式（Ｐｃ）で表される銅フタロシアニン核中の４つのベンゼン環Ａ、Ｂ、ＣおよびＤのそれぞれに存在し、Ｒａは、置換または無置換のアルキル基であり、Ｒｂは、水素原子、置換または無置換のアルキル基であり、Ｒｃは、置換または無置換のアルキル基であり、
ｋは、１≦ｋ≦７を満たす整数であり、ｌは、１≦ｌ≦７を満たす整数であり、ｍは、０≦ｍ≦６を満たす整数であり、ｎは、０≦ｎ≦６を満たす整数であり、且つ、ｋ、ｌ、ｍおよびｎは、４≦ｋ＋ｌ＋ｍ＋ｎ≦８を満たす整数である。
【化４】
0005522502.tif 000047
【化５】
0005522502.tif 000048
前記一般式（Ｃ−２）において、
Ｐｃ（Ｃｕ）は、前記一般式（Ｐｃ）で表される銅フタロシアニン核であり、
ｓは、０＜ｓ＜４を満たす整数であり、ｔは、０≦ｔ＜４を満たす整数であり、且つ、ｓおよびｔは、２≦ｓ＋ｔ≦５を満たす整数である。
ＳＯ３Ｍ２基は、一般式（Ｐｃ）で表される銅フタロシアニン核中の４つのベンゼン環Ａ、Ｂ、ＣおよびＤのいずれかに存在し、
ｔ≠０において、ＳＯ２ＮＨ２基は、一般式（Ｐｃ）で表される銅フタロシアニン核中の４つのベンゼン環Ａ、Ｂ、ＣおよびＤのいずれかに存在し、
Ｍ２は、リチウム、ナトリウム、カリウムまたはＮＨ４である。
【化６】
0005522502.tif 000049
前記一般式（１）において、ｐおよびｑは同一でも異なっていてもよく、ｐ＋ｑ＝１〜１５を満たす数であり、
Ｒ４１、Ｒ４２、Ｒ４３およびＲ４４は、それぞれ同一でも異なっていてもよく、炭素原子数１〜５の直鎖状アルキル基または炭素原子数３〜５の分岐鎖状アルキル基である。
【請求項２】
前記イエローインクにおいて、前記染料（Ｙ―１）およびグリセリンの配合割合が、下記（ｉｖ’’）の条件を満たすように設定されている請求項１記載のインクジェット記録用インクセット。
（ｉｖ’’）３．５Ｘ−５≦Ｙ２
Ｘ  ：イエローインク全量に対する前記染料（Ｙ―１）の配合割合（重量％）
Ｙ２：イエローインク全量に対するグリセリンの配合割合（重量％）
【請求項３】
前記イエローインク全量に対し、前記染料（Ｙ―１）の配合量が、１〜５重量％である請求項１または２記載のインクジェット記録用インクセット。
【請求項４】
前記イエロー着色剤が、さらに下記の染料（Ｙ−２）を含み、前記イエローインクにおける前記染料（Ｙ−１）と前記染料（Ｙ−２）との重量比が、染料（Ｙ−１）：染料（Ｙ−２）＝７０：３０〜９０：１０である請求項１〜３のいずれか一項に記載のインクジェット記録用インクセット。
染料（Ｙ−２）：Ｃ．Ｉ．ダイレクトイエロー８６およびＣ．Ｉ．ダイレクトイエロー１３２の少なくとも一方
【請求項５】
前記イエローインク全量に対し、前記染料（Ｙ―１）と前記染料（Ｙ−２）との合計配合量が、１．１〜７．１重量％である請求項４記載のインクジェット記録用インクセット。
【請求項６】
前記マゼンタインク全量に対し、前記染料（Ｍ―１）の配合量が、１〜５重量％である請求項１〜５のいずれか一項に記載のインクジェット記録用インクセット。
【請求項７】
前記マゼンタ着色剤が、さらに下記の染料（Ｍ−２）を含み、前記マゼンタインクにおける前記染料（Ｍ−１）と前記染料（Ｍ−２）との重量比が、染料（Ｍ−１）：染料（Ｍ−２）＝７０：３０〜９０：１０である請求項１〜６のいずれか一項に記載のインクジェット記録用インクセット。
染料（Ｍ−２）：遊離酸が下記一般式（Ｍ−２ａ）で表される染料（Ｍ−２ａ）、Ｃ．Ｉ．アシッドレッド５２およびＣ．Ｉ．アシッドレッド２８９からなる群から選択される少なくとも一つの染料
【化７】
0005522502.tif 000050
前記一般式（Ｍ−２ａ）において、
Ｒ１８、Ｒ１９およびＲ２０は、それぞれ、置換または無置換のアルキル基、置換または無置換のアルコキシ基、ハロゲン原子、水素原子、ヒドロキシル基、置換または無置換のカルバモイル基、置換または無置換のスルファモイル基、置換または無置換のアミノ基、ニトロ基、スルホン酸エステル基、置換または無置換のアルキルスルホニル基、置換または無置換のアリールスルホニル基、カルボキシル基、カルボン酸エステル基であり、Ｒ１８、Ｒ１９およびＲ２０は同一でも異なっていてもよく、
ｒは、０、１または２であり、
Ｒ２１、Ｒ２２およびＲ２３は、それぞれ、水素原子、置換または無置換のアルキル基、置換または無置換のアルケニル基、置換または無置換のアリール基、置換または無置換の脂環基、置換または無置換のヘテロ環基であり、Ｒ２１、Ｒ２２およびＲ２３は同一でも異なっていてもよい。
【請求項８】
前記マゼンタインク全量に対し、前記染料（Ｍ―１）と前記染料（Ｍ−２）との合計配合量が、１．１〜７．１重量％である請求項７記載のインクジェット記録用インクセット。
【請求項９】
前記シアンインク全量に対し、前記染料（Ｃ―１）の配合量が、１〜５重量％である請求項１〜８のいずれか一項に記載のインクジェット記録用インクセット。
【請求項１０】
前記シアンインク全量に対し、前記染料（Ｃ―１）と前記染料（Ｃ−２）との合計配合量が、１．１〜７．１重量％である請求項１〜９のいずれか一項に記載のインクジェット記録用インクセット。
【請求項１１】
前記一般式（Ｙ−１）で表される染料（Ｙ−１）が、化学式（Ｙ−１ａ）で表される化合物、化学式（Ｙ−１ｂ）で表される化合物、化学式（Ｙ−１ｃ）で表される化合物、化学式（Ｙ−１ｄ）で表される化合物および化学式（Ｙ−１ｅ）表される化合物からなる群から選択される少なくとも一つの化合物であり、
前記一般式（Ｍ−１）で表される染料（Ｍ−１）が、化学式（Ｍ−１ａ）で表される化合物、化学式（Ｍ−１ｂ）で表される化合物、化学式（Ｍ−１ｃ）で表される化合物、化学式（Ｍ−１ｄ）で表される化合物、化学式（Ｍ−１ｅ）表される化合物および化学式（Ｍ−１ｆ）表される化合物からなる群から選択される少なくとも一つの化合物であり、
前記一般式（Ｃ−１）で表される染料（Ｃ−１）が、化学式（Ｃ−１ａ）で表される化合物、化学式（Ｃ−１ｂ）で表される化合物、化学式（Ｃ−１ｃ）で表される化合物、化学式（Ｃ−１ｄ）で表される化合物および化学式（Ｃ−１ｅ）表される化合物からなる群から選択される少なくとも一つの化合物であり、
前記一般式（Ｃ−２）で表される染料（Ｃ−２）が、化学式（Ｃ−２ａ）で表される化合物、化学式（Ｃ−２ｂ）で表される化合物、化学式（Ｃ−２ｃ）で表される化合物、化学式（Ｃ−２ｄ）で表される化合物およびＣ．Ｉ．ダイレクトブルー８６からなる群から選択される少なくとも一つの化合物である請求項１〜１０のいずれか一項に記載のインクジェット記録用インクセット。
【化８】
0005522502.tif 000051
【化９】
0005522502.tif 000052
【化１０】
0005522502.tif 000053
【化１１】
0005522502.tif 000054
【化１２】
0005522502.tif 000055
【化１５】
0005522502.tif 000056
【化１６】
0005522502.tif 000057
【化１７】
0005522502.tif 000058
【化１８】
0005522502.tif 000059
【化１９】
0005522502.tif 000060
【化２０】
0005522502.tif 000061
【化２８】
0005522502.tif 000062
【化２９】
0005522502.tif 000063
【化３０】
0005522502.tif 000064
【化３１】
0005522502.tif 000065
【化３２】
0005522502.tif 000066
【化３３】
0005522502.tif 000067
【化３４】
0005522502.tif 000068
【化３５】
0005522502.tif 000069
【化３６】
0005522502.tif 000070
【請求項１２】
イエローインク、マゼンタインクおよびシアンインクそれぞれの収納部を有するインクカートリッジであって、前記イエローインク、前記マゼンタインクおよび前記シアンインクが、請求項１〜１１のいずれか一項に記載のインクジェット記録用インクセットのイエローインク、マゼンタインクおよびシアンインクであることを特徴とするインクカートリッジ。
【請求項１３】
インクカートリッジおよびインク吐出手段を含み、インクジェット記録用インクが前記インク吐出手段から吐出されるインクジェット記録装置であって、前記インクカートリッジが、請求項１２記載のインクカートリッジであることを特徴とするインクジェット記録装置。
【請求項１４】
さらに、ゴム部材を含み、
前記ゴム部材が、エチレンプロピレンゴムを含む請求項１３記載のインクジェット記録装置。
【発明の詳細な説明】
【技術分野】
【０００１】
本発明は、インクジェット記録用インクセット、インクカートリッジおよびインクジェット記録装置に関する。
【背景技術】
【０００２】
従来から、インクジェット記録用インクセットとして、着色剤、水および水溶性有機溶剤を含むイエローインク、マゼンタインクおよびシアンインクを備えたインクセットが汎用されている。このようなインクセットを用いて記録したカラー画像が経時的に退色すると、カラー画像が記録直後の画像から著しく変化することがある。この問題を解決するものとして、明度の順に退色率の大きさに差を設けたインクを組み合わせたインクセットが提案されている（特許文献１）。このインクセットは、目視上、退色を認識し難く、得られた画像の耐光性を見かけ上向上させることができる。しかし、このインクセットは、各色のインクそのものの耐光性を向上させたものではないため、記録物の耐光性が充分とはいえない。
【０００３】
【特許文献１】特開２０００−１７８４９１号公報
【発明の開示】
【発明が解決しようとする課題】
【０００４】
そこで、本発明は、記録物の耐光性、耐オゾン性等の堅牢性に優れ、且つ、たとえ退色したとしても、画像の色バランス変化の少ないインクジェット記録用インクセットを提供することを目的とする。
【課題を解決するための手段】
【０００５】
前記目的を達成するために、本発明のインクジェット記録用インクセットは、
イエローインク、マゼンタインクおよびシアンインクを含むインクジェット記録用インクセットであって、
前記イエローインクが、イエロー着色剤、水および水溶性有機溶剤を含み、前記イエロー着色剤が下記一般式（Ｙ−１）で表される染料（Ｙ−１）、前記水溶性有機溶剤が多価アルコールを含み；
前記マゼンタインクが、マゼンタ着色剤、水、水溶性有機溶剤およびアセチレングリコール系界面活性剤を含み、前記マゼンタ着色剤が下記一般式（Ｍ−１）で表される染料（Ｍ−１）、前記水溶性有機溶剤がジプロピレングリコールプロピルエーテル、前記アセチレングリコール系界面活性剤が下記一般式（１）で表される界面活性剤を含み、且つ、前記ジプロピレングリコールプロピルエーテルおよび前記一般式（１）で表される界面活性剤が、それぞれ、下記（ｉ）および（ｉｉ）の条件を満たすように配合され；
（ｉ）      ０．５≦ｘ≦２．５
（ｉｉ）    １≦ｙ≦３
ｘ：マゼンタインク全量に対する一般式（１）で表される界面活性剤の配合量（重量％）
ｙ：マゼンタインク全量に対するジプロピレングリコールプロピルエーテルの配合量（重量％）
前記シアンインクが、シアン着色剤、水および水溶性有機溶剤を含み、前記シアン着色剤が下記一般式（Ｃ−１）で表される染料（Ｃ−１）および下記一般式（Ｃ−２）で表される染料（Ｃ−２）を含み、
前記イエローインクにおいて、前記多価アルコールがグリセリンであり、前記染料（Ｙ−１）およびグリセリンの配合割合が、下記（ｉｖ’）の条件を満たすように設定されており、
（ｉｖ’）  Ｙ２≦３．５Ｘ
Ｘ  ：イエローインク全量に対する前記染料（Ｙ−１）の配合割合（重量％）
Ｙ２：イエローインク全量に対するグリセリンの配合割合（重量％）
前記マゼンタインクにおいて、さらに、前記ジプロピレングリコールプロピルエーテルおよび前記一般式（１）で表される界面活性剤が、それぞれ、下記（ｖ）の条件を満たすように配合されおり、
（ｖ）      ｙ≧−２ｘ＋３  且つ  ｙ≦−２ｘ＋６
ｘ：マゼンタインク全量に対する一般式（１）で表される界面活性剤の配合量（重量％）
ｙ：マゼンタインク全量に対するジプロピレングリコールプロピルエーテルの配合量（重量％）
前記シアンインクにおける前記染料（Ｃ−１）と前記染料（Ｃ−２）との重量比が、染料（Ｃ−１）：染料（Ｃ−２）＝７０：３０〜９５：５であることを特徴とする。
【化１】
0005522502.tif 000002
前記一般式（Ｙ−１）において、
Ｒ１、Ｒ２、Ｙ１およびＹ２は、それぞれ、一価の基であり、Ｒ１、Ｒ２、Ｙ１およびＹ２は同一でも異なっていてもよく、
Ｘ１およびＸ２は、それぞれ、電子吸引性基であり、Ｘ１およびＸ２は同一でも異なっていてもよく、
Ｚ１およびＺ２は、それぞれ、水素原子、置換または無置換のアルキル基、置換または無置換のアルケニル基、置換または無置換のアルキニル基、置換または無置換のアラルキル基、置換または無置換のアリール基、置換または無置換のヘテロ環基であり、Ｚ１およびＺ２は同一でも異なっていてもよく、
Ｍ１は、水素原子またはカチオンである。
【化２】
0005522502.tif 000003
前記一般式（Ｍ−１）において、
Ｒ１１は、水素原子、置換または無置換のアルキル基、置換または無置換のアリール基であり、
Ｒ１２は、水素原子、ハロゲン原子またはシアノ基であり、
Ｒ１３は、水素原子、置換または無置換のアルキル基、置換または無置換のアリール基、置換または無置換のヘテロ環基であり、
Ｒ１４、Ｒ１５、Ｒ１６およびＲ１７は、それぞれ、水素原子、置換または無置換のアルキル基、置換または無置換のアリール基、置換または無置換のヘテロ環基、置換または無置換のスルホニル基、置換または無置換のアシル基であり、Ｒ１４、Ｒ１５、Ｒ１６およびＲ１７は同一でも異なっていてもよいが、Ｒ１４とＲ１５が共に水素原子であることはなく、Ｒ１６とＲ１７が共に水素原子であることはなく、
Ａ１およびＡ２は、双方が置換または無置換の炭素原子であるか、若しくは一方が置換または無置換の炭素原子であり、且つ、他方が窒素原子である。
【化３】
0005522502.tif 000004
前記一般式（Ｃ−１）において、
Ｐｃ（Ｃｕ）は、下記一般式（Ｐｃ）で表される銅フタロシアニン核であり、
Ｒ３１、Ｒ３２、Ｒ３３およびＲ３４は、それぞれ、−ＳＯ２Ｒａ、−ＳＯ２ＮＲｂＲｃおよび−ＣＯ２Ｒａからなる群から選択される置換基であり、Ｒ３１、Ｒ３２、Ｒ３３およびＲ３４のすべてが同一であることはなく、Ｒ３１、Ｒ３２、Ｒ３３およびＲ３４の少なくとも一つは、イオン性親水性基を置換基として有し、Ｒ３１、Ｒ３２、Ｒ３３およびＲ３４の少なくとも一つは、一般式（Ｐｃ）で表される銅フタロシアニン核中の４つのベンゼン環Ａ、Ｂ、ＣおよびＤのそれぞれに存在し、Ｒａは、置換または無置換のアルキル基であり、Ｒｂは、水素原子、置換または無置換のアルキル基であり、Ｒｃは、置換または無置換のアルキル基であり、
ｋは、０＜ｋ＜８を満たす整数であり、ｌは、０＜ｌ＜８を満たす整数であり、ｍは、０≦ｍ＜８を満たす整数であり、ｎは、０≦ｎ＜８を満たす整数であり、且つ、ｋ、ｌ、ｍおよびｎは、４≦ｋ＋ｌ＋ｍ＋ｎ≦８を満たす整数である。
【化４】
0005522502.tif 000005
【化５】
0005522502.tif 000006
前記一般式（Ｃ−２）において、
Ｐｃ（Ｃｕ）は、前記一般式（Ｐｃ）で表される銅フタロシアニン核であり、
ｓは、０＜ｓ＜４を満たす整数であり、ｔは、０≦ｔ＜４を満たす整数であり、且つ、ｓおよびｔは、２≦ｓ＋ｔ≦５を満たす整数である。
ＳＯ３Ｍ２基は、一般式（Ｐｃ）で表される銅フタロシアニン核中の４つのベンゼン環Ａ、Ｂ、ＣおよびＤのいずれかに存在し、
ｔ≠０において、ＳＯ２ＮＨ２基は、一般式（Ｐｃ）で表される銅フタロシアニン核中の４つのベンゼン環Ａ、Ｂ、ＣおよびＤのいずれかに存在し、
Ｍ２は、リチウムイオン、ナトリウムイオン、カリウムイオンまたはアンモニウムイオンである。
【化６】
0005522502.tif 000007
前記一般式（１）において、ｐおよびｑは同一でも異なっていてもよく、ｐ＋ｑ＝１〜１５を満たす数であり、
Ｒ４１、Ｒ４２、Ｒ４３およびＲ４４は、それぞれ同一でも異なっていてもよく、炭素原子数１〜５の直鎖状または分岐鎖状アルキル基である。
【発明の効果】
【０００６】
本発明のインクセットは、イエローインク、マゼンタインクおよびシアンインクが、それぞれ、前記染料（Ｙ−１）、前記染料（Ｍ−１）および前記染料（Ｃ−１）を含むため、記録物の堅牢性に優れる。さらに、本発明のインクセットは、たとえ退色したとしても、前記各色のインクの退色が同程度であるため、画像の色バランス変化が少ない。
【発明を実施するための最良の形態】
【００１０】
本発明のインクジェット記録用インクセットを構成する前記イエローインクにおいて、前記多価アルコールがグリセリンであり、前記染料（Ｙ−１）およびグリセリンの配合割合が、下記（ｉｖ’）の条件を満たすように設定されている。また、本発明のインクジェット記録用インクセットを構成する前記イエローインクにおいて、前記染料（Ｙ−１）およびグリセリンの配合割合が、下記（ｉｖ’’）の条件を満たすように設定されていることが好ましい。
（ｉｖ’）  Ｙ２≦３．５Ｘ
（ｉｖ’）  ３．５Ｘ−５≦Ｙ２
Ｘ  ：イエローインク全量に対する前記染料（Ｙ―１）の配合割合（重量％）
Ｙ２：イエローインク全量に対するグリセリンの配合割合（重量％）
前記染料（Ｙ−１）を含むイエローインクにおいて、グリセリンの配合割合を前記（ｉｖ’）の条件を満たすように設定すれば、保存安定性および吐出安定性に優れたイエローインクを得ることができる。また、前記染料（Ｙ−１）を含むイエローインクにおいて、グリセリンの配合割合を前記（ｉｖ’’）の条件を満たすように設定すれば、保存安定性および吐出安定性により優れたイエローインクを得ることができる。このような性能の向上は、本発明者等が初めて見出したものである。前記イエローインクが保存安定性および吐出安定性に優れるメカニズムは、例えば、つぎのように推測される。前記染料（Ｙ−１）は、水素結合性の極めて高いトリアジン骨格を有するため、例えば、イエローインクが水酸基を有する溶剤を含む場合、長期間保存すると、前記溶剤との接触により前記染料（Ｙ−１）の一部が分解してしまうことがある。これに対し、前記イエローインクは、水酸基を含む溶剤の中でも、特にグリセリンを選択し、且つ、前記グリセリンを、Ｙ２≦３．５Ｘの条件を満たす配合割合で含むことにより、前記染料（Ｙ−１）の分解が抑制される。また、前記染料（Ｙ−１）は、例えば、インクジェット記録用インクセットにおいて顔料インクと併用する場合、前記顔料インクとの接触により、凝集を起こしやすい。前記凝集が起こると、例えば、インクジェットヘッドのノズルへの前記凝集物の付着により、インクの吐出曲がりを引き起こすおそれがある。また、前記凝集物が、インクジェット記録装置のメンテナンス機構に詰まるおそれもある。これに対し、前記イエローインクは、例えば、顔料インクと併用する場合においても、前記グリセリンの配合割合が、Ｙ２≧３．５Ｘ−５の条件を満たすように設定されているため、前記凝集の発生が抑制される。これらの性能向上のメカニズムは推測であり、本発明を何ら限定しない。
【００１１】
前記イエローインクでは、Ｘ＞５／３．５である場合において、前記染料（Ｙ−１）およびグリセリンが、前記（ｉｖ’）および（ｉｖ’’）の条件を満たす配合割合で前記イエローインクに含まれており、
Ｘ≦５／３．５である場合において、前記染料（Ｙ−１）およびグリセリンが、下記（ｖｉｉ）の条件を満たす配合割合で前記イエローインクに含まれていてもよい。
（ｖｉｉ）  ０＜Ｙ２≦３．５Ｘ
Ｘ  ：イエローインク全量に対する前記染料（Ｙ−１）の配合割合（重量％）
Ｙ２：イエローインク全量に対するグリセリンの配合割合（重量％）
【００１２】
前記イエローインクでは、Ｘ≦５／３．５である場合において、グリセリンが、前記イエローインクに含まれていなくてもよい。このように前記染料（Ｙ−１）の配合割合が少ない場合には、グリセリンを含まずとも、前記凝集が起こりにくく、吐出安定性により優れたイエローインクを得ることができる。
【００１３】
本発明のインクジェット記録用インクセットを構成する前記イエローインクにおいて、前記染料（Ｙ−１）の配合量が、前記イエローインク全量に対し、１〜５重量％であることが好ましい。
【００１４】
本発明のインクジェット記録用インクセットを構成する前記イエローインクにおいて、前記イエロー着色剤が、さらに下記の染料（Ｙ−２）を含み、前記イエローインクにおける前記染料（Ｙ−１）と前記染料（Ｙ−２）との重量比が、染料（Ｙ−１）：染料（Ｙ−２）＝７０：３０〜９０：１０であることが好ましい。
染料（Ｙ−２）：Ｃ．Ｉ．ダイレクトイエロー８６およびＣ．Ｉ．ダイレクトイエロー１３２の少なくとも一方
前記染料（Ｙ−１）と前記染料（Ｙ−２）とを組み合わせて用いることで、発色性により優れたイエローインクを得ることができる。このような性能の向上は、本発明者等が初めて見出したものである。
【００１５】
本発明のインクジェット記録用インクセットを構成する前記イエローインクにおいて、前記染料（Ｙ−１）と前記染料（Ｙ−２）との合計配合量が、前記イエローインク全量に対し、１．１〜７．１重量％であることが好ましい。
【００１６】
前述のとおり、本発明のインクジェット記録用インクセットを構成するマゼンタインクは、前記ジプロピレングリコールプロピルエーテルおよび前記一般式（１）で表される界面活性剤が、それぞれ、前記（ｉ）および（ｉｉ）の条件を満たすように配合されたものである。このため、前記マゼンタインクは、噴射安定性および印字品質に優れ、且つ、インクジェット記録装置を形成する材料に由来する化合物が、インク中に溶出することが防止されたものである。なお、前記インクジェット記録装置を形成する材料としては、例えば、ゴム部材およびゴム材料以外の有機材料部材があげられる。前記ゴム部材は、例えば、ワイパおよびキャップがあげられる。前記ワイパは、例えば、インクジェットヘッドのノズル面を払拭するものである。前記キャップは、例えば、前記ノズル面と外界とを遮断するものである。前記インクジェット記録装置を形成する材料に由来する化合物が前記インク中へ溶出すると、前記インク中に前記化合物が析出する場合がある。前記化合物が析出すると、例えば、前記インクジェットヘッドのノズルが目詰まりするおそれがある。
【００１７】
前述のような本発明のインクジェット記録用インクセットを構成するマゼンタインクの性能の向上は、本発明者等が初めて見出したものである。前記マゼンタインクが前記性能に優れるメカニズムは、例えば、つぎのように推測される。前記染料（Ｍ−１）を含むマゼンタインクは、例えば、長期間使用する場合の噴射安定性に問題がある。これに対し、前記マゼンタインクは、前記ジプロピレングリコールプロピルエーテルおよび前記一般式（１）で表される界面活性剤が前記（ｉ）および（ｉｉ）の条件を満たすように配合されているため、長期間使用する場合においても、噴射安定性に優れ、印字品質にも優れ、さらにインクジェット記録装置内のゴム部材等に由来する化合物のインク中への溶出も防止される。これらの性能向上のメカニズムは推測であり、本発明を何ら限定しない。
【００１９】
本発明のインクジェット記録用インクセットを構成する前記マゼンタインクにおいて、前記染料（Ｍ−１）の配合量が、前記マゼンタインク全量に対し、１〜５重量％であることが好ましい。
【００２０】
本発明のインクジェット記録用インクセットを構成する前記マゼンタインクにおいて、前記マゼンタ着色剤が、さらに下記の染料（Ｍ−２）を含み、前記マゼンタインクにおける前記染料（Ｍ−１）と前記染料（Ｍ−２）との重量比が、染料（Ｍ−１）：染料（Ｍ−２）＝７０：３０〜９０：１０であることが好ましい。
染料（Ｍ−２）：遊離酸が下記一般式（Ｍ−２ａ）で表される染料（Ｍ−２ａ）、Ｃ．Ｉ．アシッドレッド５２およびＣ．Ｉ．アシッドレッド２８９からなる群から選択される少なくとも一つの染料
【化７】
0005522502.tif 000008
前記一般式（Ｍ−２ａ）において、
Ｒ１８、Ｒ１９およびＲ２０は、それぞれ、置換または無置換のアルキル基、置換または無置換のアルコキシ基、ハロゲン原子、水素原子、ヒドロキシル基、置換または無置換のカルバモイル基、置換または無置換のスルファモイル基、置換または無置換のアミノ基、ニトロ基、スルホン酸エステル基、置換または無置換のアルキルスルホニル基、置換または無置換のアリールスルホニル基、カルボキシル基、カルボン酸エステル基であり、Ｒ１８、Ｒ１９およびＲ２０は同一でも異なっていてもよく、
ｒは、０、１または２であり、
Ｒ２１、Ｒ２２およびＲ２３は、それぞれ、水素原子、置換または無置換のアルキル基、置換または無置換のアルケニル基、置換または無置換のアリール基、置換または無置換のアラルキル基、置換または無置換の脂環基、置換または無置換のヘテロ環基であり、Ｒ２１、Ｒ２２およびＲ２３は同一でも異なっていてもよい。
前記染料（Ｍ−１）と前記染料（Ｍ−２）とを組み合わせて用いることで、発色性により優れたマゼンタインクを得ることができる。このような性能の向上は、本発明者等が初めて見出したものである。
【００２１】
本発明のインクジェット記録用インクセットを構成する前記マゼンタインクにおいて、前記染料（Ｍ−１）と前記染料（Ｍ−２）との合計配合量が、前記マゼンタインク全量に対し、１．１〜７．１重量％であることが好ましい。
【００２２】
前述のとおり、本発明のインクジェット記録用インクセットを構成するシアンインクは、前記染料（Ｃ−１）と前記染料（Ｃ−２）とを含む。このため、前記シアンインクは、発色性、耐オゾン性および耐光性に優れたものである。
【００２３】
前述のような本発明のインクジェット記録用インクセットを構成するシアンインクの性能の向上は、本発明者等が初めて見出したものである。前記シアンインクが前記性能に優れるメカニズムは、例えば、つぎのように推測される。前記染料（Ｃ−１）は、耐オゾン性および耐光性が優れる。一方、前記染料（Ｃ−２）は、発色性に優れる。これらの性能向上のメカニズムは推測であり、本発明を何ら限定しない。
【００２４】
本発明のインクジェット記録用インクセットを構成する前記シアンインクにおいて、前記染料（Ｃ−１）の配合量が、前記シアンインク全量に対し、１〜５重量％であることが好ましい。
【００２６】
本発明のインクジェット記録用インクセットを構成する前記シアンインクにおいて、前記染料（Ｃ−１）と前記染料（Ｃ−２）との合計配合量が、前記シアンインク全量に対し、１．１〜７．１重量％であることが好ましい。
【００２７】
本発明のインクカートリッジは、イエローインク、マゼンタインクおよびシアンインクそれぞれの収納部を有するインクカートリッジであって、前記イエローインク、前記マゼンタインクおよび前記シアンインクが、本発明の前記インクジェット記録用インクセットを構成するイエローインク、マゼンタインクおよびシアンインクであることを特徴とする。
【００２８】
本発明のインクジェット記録装置は、インクカートリッジおよびインク吐出手段を含み、インクジェット記録用インクが前記インク吐出手段から吐出されるインクジェット記録装置であって、前記インクカートリッジが、本発明の前記インクカートリッジであることを特徴とする。
【００２９】
つぎに、本発明のインクジェット記録用インクセットについて説明する。本発明のインクセットは、イエローインク、マゼンタインクおよびシアンインクを含む。
【００３０】
（イエローインク）
まず、前記イエローインクについて説明する。前述のとおり、前記イエローインクは、イエロー着色剤、水および水溶性有機溶剤を含む。前記イエロー着色剤は、前記染料（Ｙ−１）を含む。
【００３１】
前述のとおり、前記染料（Ｙ−１）は、前記一般式（Ｙ−１）で表される染料である。
【００３２】
前記一般式（Ｙ−１）において、Ｒ１、Ｒ２、Ｙ１およびＹ２は、それぞれ、一価の基であり、Ｒ１、Ｒ２、Ｙ１およびＹ２は同一でも異なっていてもよい。前記一価の基は、水素原子、または一価の置換基である。前記一価の置換基としては、例えば、ハロゲン原子；アルキル基；シクロアルキル基；アラルキル基；アルケニル基；アルキニル基；アリール基；ヘテロ環基；シアノ基；ヒドロキシル基；ニトロ基；アルコキシ基；アリールオキシ基；シリルオキシ基；ヘテロ環オキシ基；アシルオキシ基；カルバモイルオキシ基；アルコキシカルボニルオキシ基；アリールオキシカルボニルオキシ基；アルキルアミノ基、アリールアミノ基等のアミノ基；アミド基；アシルアミノ基；ウレイド基；アミノカルボニルアミノ基；アルコキシカルボニルアミノ基；アリールオキシカルボニルアミノ基；スルファモイルアミノ基；アルキルスルホニルアミノ基；アリールスルホニルアミノ基；アルキルチオ基；アリールチオ基；ヘテロ環チオ基；スルファモイル基；アルキルスルフィニル基；アリールスルフィニル基；アルキルスルホニル基；アリールスルホニル基；アシル基；アリールオキシカルボニル基；アルコキシカルボニル基；カルバモイル基；ホスフィノ基；ホスフィニル基；ホスフィニルオキシ基；ホスフィニルアミノ基；シリル基；アゾ基；イミド基等があげられる。前記一価の置換基は、さらに置換基を有していてもよい。これらの中でも、好ましい前記一価の置換基は、水素原子、ハロゲン原子、アルキル基、アリール基、ヘテロ環基、シアノ基、アルコキシ基、アミド基、ウレイド基、アルキルスルホニルアミノ基、アリールスルホニルアミノ基、スルファモイル基、アルキルスルホニル基、アリールスルホニル基、カルバモイル基、アルコキシカルボニル基であり、より好ましくは、水素原子、アルキル基、アリール基、シアノ基、アルキルスルホニル基である。
【００３３】
前記ハロゲン原子は、塩素原子、臭素原子またはヨウ素原子である。これらの中でも、好ましくは、塩素原子、臭素原子である。
【００３４】
前記アルキル基は、置換または無置換のアルキル基を含む。前記置換または無置換のアルキル基は、好ましくは、炭素原子数１〜３０のアルキル基である。前記アルキル基としては、例えば、メチル基、エチル基、ブチル基、ｔｅｒｔ−ブチル基、ｎ−オクチル基、エイコシル基、２−クロロエチル基、ヒドロキシエチル基、シアノエチル基、４−スルホブチル基等があげられる。前記置換アルキル基の置換基としては、例えば、メチル基、エチル基、プロピル基、イソプロピル基、ｓｅｃ-ブチル基、ｔｅｒｔ−ブチル基、２−エチルヘキシル基、２−メチルスルホニルエチル基、３−フェノキシプロピル基、トリフルオロメチル基等の炭素原子数１〜１２の直鎖または分岐鎖アルキル基；炭素原子数７〜１８の直鎖または分岐鎖アラルキル基；炭素原子数２〜１２の直鎖または分岐鎖アルケニル基；炭素原子数２〜１２の直鎖または分岐鎖アルキニル基；シクロペンチル基等の炭素原子数３〜１２の直鎖または分岐鎖シクロアルキル基；炭素原子数３〜１２の直鎖または分岐鎖シクロアルケニル基；塩素原子、臭素原子等のハロゲン原子；フェニル基、４−ｔｅｒｔ−ブチルフェニル基、２，４−ジ−ｔｅｒｔ−アミルフェニル基等のアリール基；イミダゾリル基、ピラゾリル基、トリアゾリル基、２−フリル基、２−チエニル基、２−ピリミジニル基、２−ベンゾチアゾリル基等のヘテロ環基；シアノ基；ヒドロキシル基；ニトロ基；カルボキシ基；アミノ基；メトキシ基、エトキシ基、２−メトキシエトキシ基、２−メチルスルホニルエトキシ基等のアルコキシ基；フェノキシ基、２−メチルフェノキシ基、４−ｔｅｒｔ−ブチルフェノキシ基、３−ニトロフェノキシ基、３−ｔｅｒｔ−ブチルオキシカルボニルフェノキシ基、３−メトキシカルボニルフェニルオキシ基等のアリールオキシ基；アセトアミド基、ベンズアミド基、４−（３−ｔｅｒｔ−ブチル−４−ヒドロキシフェノキシ）ブタンアミド基等のアシルアミノ基；メチルアミノ基、ブチルアミノ基、ジエチルアミノ基、メチルブチルアミノ基等のアルキルアミノ基；フェニルアミノ基、２−クロロアニリノ基等のアリールアミノ基；フェニルウレイド基、メチルウレイド基、Ｎ，Ｎ−ジブチルウレイド基等のウレイド基；Ｎ，Ｎ−ジプロピルスルファモイルアミノ基等のスルファモイルアミノ基；メチルチオ基、オクチルチオ基、２−フェノキシエチルチオ基等のアルキルチオ基；フェニルチオ基、２−ブトキシ−５−ｔｅｒｔ−オクチルフェニルチオ基、２−カルボキシフェニルチオ基等のアリールチオ基；メトキシカルボニルアミノ基等のアルコキシカルボニルアミノ基；メチルスルホニルアミノ基等のアルキルスルホニルアミノ基；フェニルスルホニルアミノ基、ｐ−トルエンスルホニルアミノ基等のアリールスルホニルアミノ基；Ｎ−エチルカルバモイル基、Ｎ，Ｎ−ジブチルカルバモイル基等のカルバモイル基；Ｎ−エチルスルファモイル基、Ｎ，Ｎ−ジプロピルスルファモイル基、Ｎ−フェニルスルファモイル基等のスルファモイル基；メチルスルホニル基、オクチルスルホニル基、フェニルスルホニル基、ｐ−トルエンスルホニル基等のスルホニル基；メトキシカルボニル基、ブチルオキシカルボニル基等のアルコキシカルボニル基；１−フェニ��テトラゾール−５−オキシ基、２−テトラヒドロピラニルオキシ基等のヘテロ環オキシ基；フェニルアゾ基、４−メトキシフェニルアゾ基、４−ピバロイルアミノフェニルアゾ基、２−ヒドロキシ−４−プロパノイルフェニルアゾ基等のアゾ基；アセトキシ基等のアシルオキシ基；Ｎ−メチルカルバモイルオキシ基、Ｎ−フェニルカルバモイルオキシ基等のカルバモイルオキシ基；トリメチルシリルオキシ基、ジブチルメチルシリルオキシ基等のシリルオキシ基；フェノキシカルボニルアミノ基等のアリールオキシカルボニルアミノ基；Ｎ−スクシンイミド基、Ｎ−フタルイミド基等のイミド基；２−ベンゾチアゾリルチオ基、２，４−ジ−フェノキシ−１，３，５−トリアゾール−６−チオ基、２−ピリジルチオ基等のヘテロ環チオ基；３−フェノキシプロピルスルフィニル基等のスルフィニル基；フェノキシホスホニル基、オクチルオキシホスホニル基、フェニルホスホニル基等のホスホニル基；フェノキシカルボニル基等のアリールオキシカルボニル基；アセチル基、３−フェニルプロパノイル基、ベンゾイル基等のアシル基；カルボキシル基、スルホ基、ホスホノ基、４級アンモニウム基等のイオン性親水性基等があげられる。前記置換アルキル基の置換基である前記アルキル基、前記アラルキル基、前記アルケニル基、前記アルキニル基、前記シクロアルキル基および前記シクロアルケニル基は、染料の溶解性およびインクの安定性を向上させる観点から、分岐鎖を有するものが好ましく、不斉炭素を有するものが特に好ましい。これらの中でも、好ましい前記置換アルキル基の置換基は、ヒドロキシ基、アルコキシ基、シアノ基、ハロゲン原子、スルホ基（塩の形でもよい）、カルボキシル基（塩の形でもよい）である。
【００３５】
前記シクロアルキル基は、置換または無置換のシクロアルキル基を含む。前記置換または無置換のシクロアルキル基は、好ましくは、炭素原子数５〜３０のシクロアルキル基である。前記置換シクロアルキル基の置換基としては、例えば、前記置換アルキル基の置換基としてあげたような置換基と同じものがあげられる。前記シクロアルキル基としては、例えば、シクロヘキシル基、シクロペンチル基、４−ｎ−ドデシルシクロヘキシル基等があげられる。
【００３６】
前記アラルキル基は、置換または無置換のアラルキル基を含む。前記置換または無置換のアラルキル基は、好ましくは、炭素原子数７〜３０のアラルキル基である。前記置換アラルキル基の置換基としては、例えば、前記置換アルキル基の置換基としてあげたような置換基と同じものがあげられる。前記アラルキル基としては、例えば、ベンジル基、２−フェネチル基等があげられる。
【００３７】
前記アルケニル基は、直鎖、分岐、環状の置換または無置換のアルケニル基である。前記アルケニル基は、好ましくは、炭素原子数２〜３０の置換または無置換のアルケニル基である。前記置換アルケニル基の置換基としては、例えば、前記置換アルキル基の置換基としてあげたような置換基と同じものがあげられる。前記アルケニル基としては、例えば、ビニル基、アリル基、プレニル基、ゲラニル基、オレイル基、２−シクロペンテン−１−イル基、シクロヘキセン−１−イル基等があげられる。
【００３８】
前記アルキニル基は、炭素原子数２〜３０の置換または無置換のアルキニル基である。前記置換アルキニル基の置換基としては、例えば、前記置換アルキル基の置換基としてあげたような置換基と同じものがあげられる。前記アルキニル基としては、例えば、エチニル基、プロパルギル基等があげられる。
【００３９】
前記アリール基は、炭素原子数６〜３０の置換または無置換のアリール基である。前記アリール基としては、例えば、フェニル基、ｐ−トリル基、ナフチル基、ｍ−クロロフェニル基、ｏ−ヘキサデカノイルアミノフェニル基等があげられる。前記置換アリール基の置換基としては、例えば、前記置換アルキル基の置換基としてあげたような置換基と同じものがあげられる。
【００４０】
前記ヘテロ環基は、５または６員の置換または無置換の、芳香族または非芳香族のヘテロ環化合物から一個の水素原子を取り除いた一価の基であり、それらは更に縮環していてもよい。前記へテロ環基は、好ましくは、炭素原子数３〜３０の５または６員の芳香族のヘテロ環基である。前記置換ヘテロ環基の置換基としては、例えば、前記置換アルキル基の置換基としてあげたような置換基と同じものがあげられる。前記ヘテロ環基としては、置換位置を限定しないと、例えば、ピリジン基、ピラジン基、ピリダジン基、ピリミジン基、トリアジン基、キノリン基、イソキノリン基、キナゾリン基、シンノリン基、フタラジン基、キノキサリン基、ピロール基、インドール基、フラン基、ベンゾフラン基、チオフェン基、ベンゾチオフェン基、ピラゾール基、イミダゾール基、ベンズイミダゾール基、トリアゾール基、オキサゾール基、ベンズオキサゾール基、チアゾール基、ベンゾチアゾール基、イソチアゾール基、ベンズイソチアゾール基、チアジアゾール基、イソオキサゾール基、ベンズイソオキサゾール基、ピロリジン基、ピペリジン基、ピペラジン基、イミダゾリジン基、チアゾリン基等があげられる。
【００４１】
前記アルコキシ基は、置換または無置換のアルコキシ基を含む。前記置換または無置換のアルコキシ基は、好ましくは、炭素原子数１〜３０のアルコキシ基である。前記置換アルコキシ基の置換基としては、例えば、前記置換アルキル基の置換基としてあげたような置換基と同じものがあげられる。前記アルコキシ基としては、例えば、メトキシ基、エトキシ基、イソプロポキシ基、ｎ−オクチルオキシ基、メトキシエトキシ基、ヒドロキシエトキシ基、３−カルボキシプロポキシ基等があげられる。
【００４２】
前記アリールオキシ基は、好ましくは、炭素原子数６〜３０の置換または無置換のアリールオキシ基である。前記置換アリールオキシ基の置換基としては、例えば、前記置換アルキル基の置換基としてあげたような置換基と同じものがあげられる。前記アリールオキシ基としては、例えば、フェノキシ基、２−メチルフェノキシ基、４−ｔｅｒｔ−ブチルフェノキシ基、３−ニトロフェノキシ基、２−テトラデカノイルアミノフェノキシ基等があげられる。
【００４３】
前記シリルオキシ基は、好ましくは、炭素原子数３〜２０のシリルオキシ基である。前記シリルオキシ基としては、例えば、トリメチルシリルオキシ基、ｔｅｒｔ−ブチルジメチルシリルオキシ基等があげられる。
【００４４】
前記ヘテロ環オキシ基は、好ましくは、炭素原子数２〜３０の置換または無置換のヘテロ環オキシ基である。前記置換ヘテロ環オキシ基の置換基としては、例えば、前記置換アルキル基の置換基としてあげたような置換基と同じものがあげられる。前記ヘテロ環オキシ基としては、例えば、１−フェニルテトラゾール−５−オキシ基、２−テトラヒドロピラニルオキシ基等があげられる。
【００４５】
前記アシルオキシ基は、好ましくは、ホルミルオキシ基、炭素原子数２〜３０の置換または無置換のアルキルカルボニルオキシ基、炭素原子数６〜３０の置換または無置換のアリールカルボニルオキシ基である。前記置換アルキルカルボニルオキシ基および前記置換アリールカルボニルオキシ基の置換基としては、例えば、前記置換アルキル基の置換基としてあげたような置換基と同じものがあげられる。前記アシルオキシ基としては、例えば、ホルミルオキシ基、アセチルオキシ基、ピバロイルオキシ基、ステアロイルオキシ基、ベンゾイルオキシ基、ｐ−メトキシフェニルカルボニルオキシ基等があげられる。
【００４６】
前記カルバモイルオキシ基は、好ましくは、炭素原子数１〜３０の置換または無置換のカルバモイルオキシ基である。前記置換カルバモイルオキシ基の置換基としては、例えば、前記置換アルキル基の置換基としてあげたような置換基と同じものがあげられる。前記カルバモイルオキシ基としては、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等があげられる。
【００４７】
前記アルコキシカルボニルオキシ基は、好ましくは、炭素原子数２〜３０の置換または無置換のアルコキシカルボニルオキシ基である。前記置換アルコキシカルボニルオキシ基の置換基としては、例えば、前記置換アルキル基の置換基としてあげたような置換基と同じものがあげられる。前記アルコキシカルボニルオキシ基としては、例えば、メトキシカルボニルオキシ基、エトキシカルボニルオキシ基、ｔｅｒｔ−ブトキシカルボニルオキシ基、ｎ−オクチルカルボニルオキシ基等があげられる。
【００４８】
前記アリールオキシカルボニルオキシ基は、好ましくは、炭素原子数７〜３０の置換または無置換のアリールオキシカルボニルオキシ基である。前記置換アリールオキシカルボニルオキシ基の置換基としては、例えば、前記置換アルキル基の置換基としてあげたような置換基と同じものがあげられる。前記アリールオキシカルボニルオキシ基としては、例えば、フェノキシカルボニルオキシ基、ｐ−メトキシフェノキシカルボニルオキシ基、ｐ−ｎ−ヘキサデシルオキシフェノキシカルボニルオキシ基等があげられる。
【００４９】
前記アミノ基は、好ましくは、炭素原子数１〜３０の置換または無置換のアルキルアミノ基、炭素原子数６〜３０の置換または無置換のアリールアミノ基である。前記置換アルキルアミノ基および前記置換アリールアミノ基の置換基としては、例えば、前記置換アルキル基の置換基としてあげたような置換基と同じものがあげられる。前記アミノ基としては、例えば、アミノ基、メチルアミノ基、ジメチルアミノ基、アニリノ基、Ｎ−メチル−アニリノ基、ジフェニルアミノ基、ヒドロキシエチルアミノ基、カルボキシエチルアミノ基、スルフォエチルアミノ基、３，５−ジカルボキシアニリノ基等があげられる。
【００５０】
前記アシルアミノ基は、好ましくは、ホルミルアミノ基、炭素原子数１〜３０の置換または無置換のアルキルカルボニルアミノ基、炭素原子数６〜３０の置換または無置換のアリールカルボニルアミノ基である。前記置換アルキルカルボニルアミノ基および前記置換アリールカルボニルアミノ基の置換基としては、例えば、前記置換アルキル基の置換基としてあげたような置換基と同じものがあげられる。前記アシルアミノ基としては、例えば、ホルミルアミノ基、アセチルアミノ基、ピバロイルアミノ基、ラウロイルアミノ基、ベンゾイルアミノ基、３，４，５−トリ−ｎ−オクチルオキシフェニルカルボニルアミノ基等があげられる。
【００５１】
前記アミノカルボニルアミノ基は、好ましくは、炭素原子数１〜３０の置換または無置換のアミノカルボニルアミノ基である。前記置換アミノカルボニルアミノ基の置換基としては、例えば、前記置換アルキル基の置換基としてあげたような置換基と同じものがあげられる。前記アミノカルボニルアミノ基としては、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基等があげられる。
【００５２】
前記アルコキシカルボニルアミノ基は、好ましくは、炭素原子数２〜３０の置換または無置換のアルコキシカルボニルアミノ基である。前記置換アルコキシカルボニルアミノ基の置換基としては、例えば、前記置換アルキル基の置換基としてあげたような置換基と同じものがあげられる。前記アルコキシカルボニルアミノ基としては、例えば、メトキシカルボニルアミノ基、エトキシカルボニルアミノ基、ｔｅｒｔ−ブトキシカルボニルアミノ基、ｎ−オクタデシルオキシカルボニルアミノ基、Ｎ−メチル−メトキシカルボニルアミノ基等があげられる。
【００５３】
前記アリールオキシカルボニルアミノ基は、好ましくは、炭素原子数７〜３０の置換または無置換のアリールオキシカルボニルアミノ基である。前記置換アリールオキシカルボニルアミノ基の置換基としては、例えば、前記置換アルキル基の置換基としてあげたような置換基と同じものがあげられる。前記アリールオキシカルボニルアミノ基としては、例えば、フェノキシカルボニルアミノ基、ｐ−クロロフェノキシカルボニルアミノ基、ｍ−ｎ−オクチルオキシフェノキシカルボニルアミノ基等があげられる。
【００５４】
前記スルファモイルアミノ基は、好ましくは、炭素原子数０〜３０の置換または無置換のスルファモイルアミノ基である。前記置換スルファモイルアミノ基の置換基としては、例えば、前記置換アルキル基の置換基としてあげたような置換基と同じものがあげられる。前記スルファモイルアミノ基としては、例えば、スルファモイルアミノ基、Ｎ，Ｎ−ジメチルアミノスルホニルアミノ基、Ｎ−ｎ−オクチルアミノスルホニルアミノ基等があげられる。
【００５５】
前記アルキルスルホニルアミノ基は、好ましくは、炭素原子数１〜３０の置換または無置換のアルキルスルホニルアミノ基である。前記置換アルキルスルホニルアミノ基の置換基としては、例えば、前記置換アルキル基の置換基としてあげたような置換基と同じものがあげられる。前記アルキルスルホニルアミノ基としては、例えば、メチルスルホニルアミノ基、ブチルスルホニルアミノ基等があげられる。
【００５６】
前記アリールスルホニルアミノ基は、好ましくは、炭素原子数６〜３０の置換または無置換のアリールスルホニルアミノ基である。前記置換アリールスルホニルアミノ基の置換基としては、例えば、前記置換アルキル基の置換基としてあげたような置換基と同じものがあげられる。前記アリールスルホニルアミノ基としては、例えば、フェニルスルホニルアミノ基、２，３，５−トリクロロフェニルスルホニルアミノ基、ｐ−メチルフェニルスルホニルアミノ基等があげられる。
【００５７】
前記アルキルチオ基は、好ましくは、炭素原子数１〜３０の置換または無置換のアルキルチオ基である。前記置換アルキルチオ基の置換基としては、例えば、前記置換アルキル基の置換基としてあげたような置換基と同じものがあげられる。前記アルキルチオ基としては、例えば、メチルチオ基、エチルチオ基、ｎ−ヘキサデシルチオ基等があげられる。
【００５８】
前記アリールチオ基は、好ましくは、炭素原子数６〜３０の置換または無置換のアリールチオ基である。前記置換アリールチオ基の置換基としては、例えば、前記置換アルキル基の置換基としてあげたような置換基と同じものがあげられる。前記アリールチオ基としては、例えば、フェニルチオ基、ｐ−クロロフェニルチオ基、ｍ−メトキシフェニルチオ基等があげられる。
【００５９】
前記ヘテロ環チオ基は、好ましくは、炭素原子数２〜３０の置換または無置換のヘテロ環チオ基である。前記置換ヘテロ環チオ基の置換基としては、例えば、前記置換アルキル基の置換基としてあげたような置換基と同じものがあげられる。前記ヘテロ環チオ基としては、例えば、２−ベンゾチアゾリルチオ基、１−フェニルテトラゾール−５−イルチオ基等があげられる。
【００６０】
前記スルファモイル基は、好ましくは、炭素原子数０〜３０の置換または無置換のスルファモイル基である。前記置換スルファモイル基の置換基としては、例えば、前記置換アルキル基の置換基としてあげたような置換基と同じものがあげられる。前記スルファモイル基としては、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ’−フェニルカルバモイル）スルファモイル基等があげられる。
【００６１】
前記アルキルスルフィニル基は、好ましくは、炭素原子数１〜３０の置換または無置換のアルキルスルフィニル基である。前記置換アルキルスルフィニル基の置換基としては、例えば、前記置換アルキル基の置換基としてあげたような置換基と同じものがあげられる。前記アルキルスルフィニル基としては、例えば、メチルスルフィニル基、エチルスルフィニル基等があげられる。
【００６２】
前記アリールスルフィニル基は、好ましくは、炭素原子数６〜３０の置換または無置換のアリールスルフィニル基である。前記置換アリールスルフィニル基の置換基としては、例えば、前記置換アルキル基の置換基としてあげたような置換基と同じものがあげられる。前記アリールスルフィニル基としては、例えば、フェニルスルフィニル基、ｐ−メチルフェニルスルフィニル基等があげられる。
【００６３】
前記アルキルスルホニル基は、好ましくは、炭素原子数１〜３０の置換または無置換のアルキルスルホニル基である。前記置換アルキルスルホニル基の置換基としては、例えば、前記置換アルキル基の置換基としてあげたような置換基と同じものがあげられる。前記アルキルスルホニル基としては、例えば、メチルスルホニル基、エチルスルホニル基等があげられる。
【００６４】
前記アリールスルホニル基は、好ましくは、炭素原子数６〜３０の置換または無置換のアリールスルホニル基である。前記置換アリールスルホニル基の置換基としては、例えば、前記置換アルキル基の置換基としてあげたような置換基と同じものがあげられる。前記アリールスルホニル基としては、例えば、フェニルスルホニル基、ｐ−トルエンスルホニル基等があげられる。
【００６５】
前記アシル基は、好ましくは、ホルミル基、炭素原子数２〜３０の置換または無置換のアルキルカルボニル基、炭素原子数７〜３０の置換または無置換のアリールカルボニル基、炭素原子数４〜３０の置換または無置換の炭素原子でカルボニル基と結合しているヘテロ環カルボニル基である。前記置換アルキルカルボニル基、前記置換アリールカルボニル基、前記ヘテロ環カルボニル基の置換基としては、例えば、前記置換アルキル基の置換基としてあげたような置換基と同じものがあげられる。前記アシル基としては、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基等があげられる。
【００６６】
前記アリールオキシカルボニル基は、好ましくは、炭素原子数７〜３０の置換または無置換のアリールオキシカルボニル基である。前記置換アリールオキシカルボニル基の置換基としては、例えば、前記置換アルキル基の置換基としてあげたような置換基と同じものがあげられる。前記アリールオキシカルボニル基としては、例えば、フェノキシカルボニル基、ｏ−クロロフェノキシカルボニル基、ｍ−ニトロフェノキシカルボニル基、ｐ−ｔｅｒｔ−ブチルフェノキシカルボニル基等があげられる。
【００６７】
前記アルコキシカルボニル基は、好ましくは、炭素原子数２〜３０の置換または無置換のアルコキシカルボニル基である。前記置換アルコキシカルボニル基の置換基としては、例えば、前記置換アルキル基の置換基としてあげたような置換基と同じものがあげられる。前記アルコキシカルボニル基としては、例えば、メトキシカルボニル基、エトキシカルボニル基、ｔｅｒｔ−ブトキシカルボニル基、ｎ−オクタデシルオキシカルボニル基等があげられる。
【００６８】
前記カルバモイル基は、好ましくは、炭素原子数１〜３０の置換または無置換のカルバモイル基である。前記置換カルバモイル基の置換基としては、例えば、前記置換アルキル基の置換基としてあげたような置換基と同じものがあげられる。前記カルバモイル基としては、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等があげられる。
【００６９】
前記ホスフィノ基は、好ましくは、炭素原子数２〜３０の置換または無置換のホスフィノ基である。前記置換ホスフィノ基の置換基としては、例えば、前記置換アルキル基の置換基としてあげたような置換基と同じものがあげられる。前記ホスフィノ基としては、例えば、ジメチルホスフィノ基、ジフェニルホスフィノ基、メチルフェノキシホスフィノ基等があげられる。
【００７０】
前記ホスフィニル基は、好ましくは、炭素原子数２〜３０の置換または無置換のホスフィニル基である。前記置換ホスフィニル基の置換基としては、例えば、前記置換アルキル基の置換基としてあげたような置換基と同じものがあげられる。前記ホスフィニル基としては、例えば、ホスフィニル基、ジオクチルオキシホスフィニル基、ジエトキシホスフィニル基等があげられる。
【００７１】
前記ホスフィニルオキシ基は、好ましくは、炭素原子数２〜３０の置換または無置換のホスフィニルオキシ基である。前記置換ホスフィニルオキシ基の置換基としては、例えば、前記置換アルキル基の置換基としてあげたような置換基と同じものがあげられる。前記ホスフィニルオキシ基としては、例えば、ジフェノキシホスフィニルオキシ基、ジオクチルオキシホスフィニルオキシ基等があげられる。
【００７２】
前記ホスフィニルアミノ基は、好ましくは、炭素原子数２〜３０の置換または無置換のホスフィニルアミノ基である。前記置換ホスフィニルアミノ基の置換基としては、例えば、前記置換アルキル基の置換基としてあげたような置換基と同じものがあげられる。前記ホスフィニルアミノ基としては、例えば、ジメトキシホスフィニルアミノ基、ジメチルアミノホスフィニルアミノ基等があげられる。
【００７３】
前記シリル基は、好ましくは、炭素原子数３〜３０の置換または無置換のシリル基である。前記置換シリル基の置換基としては、例えば、前記置換アルキル基の置換基としてあげたような置換基と同じものがあげられる。前記シリル基としては、例えば、トリメチルシリル基、ｔｅｒｔ−ブチルジメチルシリル基、フェニルジメチルシリル基等があげられる。
【００７４】
前記アゾ基としては、例えば、フェニルアゾ基、４−メトキシフェニルアゾ基、４−ピバロイルアミノフェニルアゾ基、２−ヒドロキシ−４−プロパノイルフェニルアゾ基等があげられる。
【００７５】
前記イミド基としては、例えば、Ｎ−スクシンイミド基、Ｎ−フタルイミド基等があげられる。
【００７６】
前記一般式（Ｙ−１）において、Ｘ１およびＸ２は、それぞれ、電子吸引性基であり、Ｘ１およびＸ２は同一でも異なっていてもよい。前記Ｘ１およびＸ２としては、例えば、アシル基、アシルオキシ基、カルバモイル基、アルコキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、他の電子吸引性基で置換されたアリール基、ヘテロ環基、ハロゲン原子、アゾ基、セレノシアネート基等があげられる。
【００７７】
前記Ｘ１およびＸ２は、好ましくは、炭素原子数２〜１２のアシル基、炭素原子数２〜１２のアシルオキシ基、炭素原子数１〜１２のカルバモイル基、炭素原子数２〜１２のアルコキシカルボニル基、炭素原子数７〜１８のアリールオキシカルボニル基、シアノ基、ニトロ基、炭素原子数１〜１２のアルキルスルフィニル基、炭素原子数６〜１８のアリールスルフィニル基、炭素原子数１〜１２のアルキルスルホニル基、炭素原子数６〜１８のアリールスルホニル基、炭素原子数０〜１２のスルファモイル基、炭素原子数１〜１２のハロゲン化アルキル基、炭素原子数１〜１２のハロゲン化アルコキシ基、炭素原子数１〜１２のハロゲン化アルキルチオ基、炭素原子数７〜１８のハロゲン化アリールオキシ基、２つ以上の他の電子吸引性基で置換された炭素原子数７〜１８のアリール基、窒素原子、酸素原子、またはイオウ原子を有する５〜８員環で炭素原子数１〜１８のヘテロ環基である。
【００７８】
前記一般式（Ｙ−１）において、Ｚ１およびＺ２は、それぞれ、水素原子、置換または無置換のアルキル基、置換または無置換のアルケニル基、置換または無置換のアルキニル基、置換または無置換のアラルキル基、置換または無置換のアリール基、置換または無置換のヘテロ環基であり、Ｚ１およびＺ２は同一でも異なっていてもよい。前記アルキル基、前記アルケニル基、前記アルキニル基、前記アラルキル基、前記アリール基および前記ヘテロ環基は、前記Ｒ１、Ｒ２、Ｙ１およびＹ２におけるのと同様である。
【００７９】
前記一般式（Ｙ−１）において、Ｍ１は、水素原子またはカチオンである。前記カチオンは、アルカリ金属イオン、アンモニウムイオンまたは第４級アンモニウムイオンである。前記カチオンは、好ましくは、Ｌｉ、Ｎａ、Ｋ、ＮＨ４、ＮＲ４である。ここで、前記Ｒ４におけるＲは、アルキル基またはアリール基であり、前記Ｒ１、Ｒ２、Ｙ１およびＹ２におけるのと同様である。これらの中でも、前記カチオンは、Ｌｉ、Ｎａ、Ｋ、ＮＨ４であることが好ましい。
【００８０】
前記一般式（Ｙ−１）で表される染料の好ましい置換基の組み合わせとしては、置換基の少なくとも１つが前記の好ましい基であることが好ましく、より多くの置換基が前記の好ましい基であることがより好ましく、全ての置換基が前記の好ましい基であることが最も好ましい。
【００８１】
前記一般式（Ｙ−１）で表される染料の特に好ましい置換基の組み合わせは、つぎの（イ）〜（ホ）を含む。
【００８２】
（イ）Ｒ１、Ｒ２は、同一でも異なっていてもよく、好ましくは、置換または無置換の総炭素原子数１〜１２のアルキル基、置換または無置換の総炭素原子数６〜１８のアリール基、置換または無置換の総炭素原子数４〜１２ヘテロ環基であり、より好ましくは、総炭素原子数１〜８の直鎖または分岐鎖アルキル基であり、さらに好ましくは、２級または３級のアルキル基であり、最も好ましくは、ｔｅｒｔ−ブチル基である。
【００８３】
（ロ）Ｘ１、Ｘ２は、それぞれ、電子吸引性基であり、同一でも異なっていてもよく、好ましくは、シアノ基、炭素原子数１〜１２のアルキルスルホニル基、炭素原子数６〜１８のアリールスルホニル基、炭素原子数０〜１２のスルファモイル基であり、より好ましくは、シアノ基、炭素原子数１〜１２のアルキルスルホニル基である。
【００８４】
（ハ）Ｙ１、Ｙ２は、同一でも異なっていてもよく、好ましくは、水素原子、置換または無置換の総炭素原子数１〜１２のアルキル基、置換または無置換の総炭素原子数６〜１８のアリール基、置換または無置換の総炭素原子数４〜１２ヘテロ環基であり、より好ましくは、水素原子、置換または無置換のアルキル基であり、最も好ましくは、水素原子である。
【００８５】
（ニ）Ｚ１、Ｚ２は、同一でも異なっていてもよく、好ましくは、置換または無置換の総炭素原子数１〜１２のアルキル基、置換または無置換の総炭素原子数６〜１８のアリール基、置換または無置換の総炭素原子数４〜１２のヘテロ環基であり、より好ましくは、置換または無置換のアリール基、置換または無置換のヘテロ環基であり、特に好ましくは、置換アリール基である。
【００８６】
（ホ）Ｍ１は、好ましくは、水素原子、アルカリ金属イオン、アンモニウムイオン、第４級アンモニウムイオンであり、より好ましくは、水素原子、Ｌｉ、Ｎａ、Ｋ、ＮＨ４である。
【００８７】
前記染料（Ｙ−１）の好ましい具体例としては、下記の化学式（Ｙ−１ａ）〜（Ｙ−１ｅ）で表わされる化合物があげられる。
【００８８】
【化８】
0005522502.tif 000009
【化９】
0005522502.tif 000010
【化１０】
0005522502.tif 000011
【化１１】
0005522502.tif 000012
【化１２】
0005522502.tif 000013
【００８９】
前記染料（Ｙ−１）の配合量は、特に制限されない。イエローインクに前記染料（Ｙ−１）を含ませることで、前記イエローインクを用いた記録物の堅牢性を向上させることができる。前述のとおり、前記染料（Ｙ−１）の配合量は、前記イエローインク全量に対し、１〜５重量％であることが好ましい。
【００９０】
前記イエロー着色剤は、前記染料（Ｙ−１）のみで構成されていてもよいし、さらに他の染料および顔料等を含んでもよい。
【００９１】
前記水は、イオン交換水または純水であることが好ましい。前記インク全量に対する前記水の配合量は、例えば、１０〜９０重量％であり、好ましくは、４０〜８０重量％である。前記水の配合量は、例えば、他の成分の残部としてもよい。
【００９２】
前記水溶性有機溶剤は、例えば、インクジェットヘッドの先端部におけるインクの乾燥を防止する湿潤剤および記録紙面上での乾燥速度を調整する浸透剤に分類される。
【００９３】
前記イエローインクは、前記湿潤剤として、多価アルコールを含む。前記多価アルコールは、グリセリンである。
【００９４】
前記湿潤剤は、前記多価アルコールのみで構成されていてもよいし、さらに他の湿潤剤を含んでもよい。
【００９５】
前記多価アルコール以外の湿潤剤は、限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；２−ピロリドン；Ｎ−メチル−２−ピロリドン；１，３−ジメチル−２−イミダゾリジノン等があげられる。前記ポリアルキレングリコールは、限定されず、例えば、ポリエチレングリコール、ポリプロピレングリコール等があげられる。前記多価アルコール以外の湿潤剤は、１種類だけ用いてもよいし、２種類以上用いてもよい。
【００９６】
前記湿潤剤の配合量は、特に制限されない。前記イエローインク全量に対する前記湿潤剤の配合量は、例えば、０〜９５重量％であり、好ましくは、１０〜８０重量％であり、より好ましくは、１０〜５０重量％である。
【００９７】
前記浸透剤は、限定されず、例えば、グリコール系エーテルがあげられる。前記グリコール系エーテルは、限定されず、例えば、エチレングリコールメチルエーテル、エチレングリコールエチルエーテル、エチレングリコールプロピルエーテル、ジエチレングリコールメチルエーテル、ジエチレングリコールエチルエーテル、ジエチレングリコールプロピルエーテル、ジエチレングリコールブチルエーテル、トリエチレングリコールメチルエーテル、トリエチレングリコールエチルエーテル、トリエチレングリコールプロピルエーテル、トリエチレングリコールブチルエーテル、プロピレングリコールメチルエーテル、プロピレングリコールエチルエーテル、プロピレングリコールプロピルエーテル、プロピレングリコールブチルエーテル、ジプロピレングリコールメチルエーテル、ジプロピレングリコールエチルエーテル、ジプロピレングリコールプロピルエーテル、ジプロピレングリコールブチルエーテル、トリプロピレングリコールメチルエーテル、トリプロピレングリコールエチルエーテル、トリプロピレングリコールプロピルエーテルおよびトリプロピレングリコールブチルエーテル等があげられる。前記浸透剤は、１種類を単独で用いてもよいし、２種類以上を併用してもよい。
【００９８】
前記浸透剤の配合量は、例えば、０〜２０重量％である。前記浸透剤の配合量を前記範囲とすることで、前記イエローインクの紙への浸透性を、より好適なものとできる。前記浸透剤の配合量は、好ましくは、０．１〜１５重量％であり、より好ましくは、０．５〜１０重量％である。
【００９９】
前記イエローインクは、必要に応じて、さらに、従来公知の添加剤を含んでもよい。前記添加剤としては、例えば、界面活性剤、粘度調整剤、表面張力調整剤、防黴剤等があげられる。前記粘度調整剤は、限定されず、例えば、ポリビニルアルコール、セルロース、水溶性樹脂等があげられる。
【０１００】
前記イエローインクは、例えば、イエロー着色剤、水および水溶性有機溶剤と、必要に応じて他の添加成分とを、従来公知の方法で均一に混合し、フィルターで不溶解物を除去することにより調製できる。
【０１０１】
つぎに、前記イエローインクの好ましい具体例について説明する。ただし、前記イエローインクは、これらの例に限定されない。
【０１０６】
（第１のイエローインク）
本例のイエローインクにおいては、前記多価アルコールがグリセリンであり、前記イエローインクにおいて、前記染料（Ｙ−１）およびグリセリンの配合割合が、下記（ｉｖ’’）の条件を満たすように設定されている。
（ｉｖ’’）３．５Ｘ−５≦Ｙ２
Ｘ  ：イエローインク全量に対する前記染料（Ｙ−１）の配合割合（重量％）
Ｙ２：イエローインク全量に対するグリセリンの配合割合（重量％）
グリセリンの配合割合が、Ｙ２≧３．５Ｘ−５の条件を満たすように設定されていることで、吐出安定性により優れたイエローインクを得ることができる。
【０１０７】
本例のイエローインクでは、Ｘ≦５／３．５である場合において、グリセリンが、前記イエローインクに含まれていなくてもよい。このように前記染料（Ｙ−１）の配合割合が少ない場合には、グリセリンを含まずとも、前記凝集が起こりにくく、吐出安定性により優れたインクを得ることができる。
【０１０８】
これら以外の本例のイエローインクの組成については、前述のとおりである。ただし、本例のイエローインクにおいて、グリセリン以外の前記水溶性有機溶剤の配合量は、グリセリンを含むことで得られる前記効果を損なわない範囲であることが好ましい。
【０１０９】
（第２のイエローインク）
本例のイエローインクにおいては、前記イエロー着色剤が、前記染料（Ｙ−１）に加え、さらに、下記の染料（Ｙ−２）を含む。
染料（Ｙ−２）：Ｃ．Ｉ．ダイレクトイエロー８６およびＣ．Ｉ．ダイレクトイエロー１３２の少なくとも一方
【０１１０】
Ｃ．Ｉ．ダイレクトイエロー８６は、例えば、下記化学式（Ｙ−２ａ）で表される染料である。
【０１１１】
【化１３】
0005522502.tif 000014
【０１１２】
Ｃ．Ｉ．ダイレクトイエロー１３２は、例えば、下記化学式（Ｙ−２ｂ）で表される染料である。
【０１１３】
【化１４】
0005522502.tif 000015
【０１１４】
本例のイエローインクにおいて、前記染料（Ｙ−２）の配合量は、特に制限されない。イエローインクに前記染料（Ｙ−２）を含ませることで、発色性を向上させることができる。前記染料（Ｙ−２）の配合量は、本例のイエローインク全量に対し、例えば、０．１〜２．１重量％であり、好ましくは、０．３〜１．１重量％である。
【０１１５】
本例のイエローインクにおける前記染料（Ｙ−１）と前記染料（Ｙ−２）との重量比は、染料（Ｙ−１）：染料（Ｙ−２）＝７０：３０〜９０：１０であることが好ましい。前記重量比を前記範囲とすることで、発色性により優れたイエローインクを得ることができる。前記重量比は、より好ましくは、染料（Ｙ−１）：染料（Ｙ−２）＝８０：２０〜９０：１０である。
【０１１６】
本例のイエローインクにおいて、前記染料（Ｙ−１）と前記染料（Ｙ−２）との合計配合量は、特に制限されないが、前記イエローインク全量に対し、１．１〜７．１重量％であることが好ましく、より好ましくは、２〜４重量％である。
【０１１７】
これら以外の本例のイエローインクの組成については、前述のとおりである。
【０１１８】
（マゼンタインク）
つぎに、前記マゼンタインクについて説明する。前述のとおり、前記マゼンタインクは、マゼンタ着色剤、水、水溶性有機溶剤およびアセチレングリコール系界面活性剤を含む。前記マゼンタ着色剤は、前記染料（Ｍ−１）を含む。
【０１１９】
前述のとおり、前記染料（Ｍ−１）は、前記一般式（Ｍ−１）で表される染料である。
【０１２０】
前述のとおり、前記一般式（Ｍ−１）において、
Ｒ１１は、水素原子、置換または無置換のアルキル基、置換または無置換のアリール基であり、
Ｒ１２は、水素原子、ハロゲン原子またはシアノ基であり、
Ｒ１３は、水素原子、置換または無置換のアルキル基、置換または無置換のアリール基、置換または無置換のヘテロ環基であり、
Ｒ１４、Ｒ１５、Ｒ１６およびＲ１７は、それぞれ、水素原子、置換または無置換のアルキル基、置換または無置換のアリール基、置換または無置換のヘテロ環基、置換または無置換のスルホニル基、置換または無置換のアシル基であり、Ｒ１４、Ｒ１５、Ｒ１６およびＲ１７は同一でも異なっていてもよいが、Ｒ１４とＲ１５が共に水素原子であることはなく、Ｒ１６とＲ１７が共に水素原子であることはなく、
Ａ１およびＡ２は、双方が置換または無置換の炭素原子であるか、若しくは一方が置換または無置換の炭素原子であり、且つ、他方が窒素原子である。
【０１２１】
前記一般式（Ｍ−１）において、前記ハロゲン原子としては、例えば、フッ素原子、塩素原子、臭素原子およびヨウ素原子等があげられる。
【０１２２】
前記一般式（Ｍ−１）において、前記置換または無置換のアルキル基は、好ましくは、炭素原子数１〜６のアルキル基である。前記置換または無置換のアルキル基としては、例えば、メチル基、エチル基、ｎ−ブチル基、イソプロピル基、ｔｅｒｔ−ブチル基、ヒドロキシエチル基、メトキシエチル基、シアノエチル基、トリフルオロメチル基、３−スルホプロピル基、４−スルホブチル基等があげられる。前記置換アルキル基の置換基としては、例えば、ヒドロキシル基；メトキシ基、エトキシ基等のアルコキシ基；シアノ基；フッ素原子、塩素原子、臭素原子、ヨウ素原子等のハロゲン原子；カルボン酸塩、スルホン酸塩等のイオン性親水性基等があげられる。
【０１２３】
前記一般式（Ｍ−１）において、前記置換または無置換のアリール基は、好ましくは、炭素原子数６〜１２のアリール基である。ただし、置換アリール基の場合、前記炭素原子数は、置換基の炭素原子数を含まないものとする。前記置換または無置換のアリール基としては、例えば、フェニル基、ナフチル基、ｐ−トリル基、ｐ−オクチルフェニル基、メシチル基、ｐ−メトキシフェニル基、ｏ−クロロフェニル基、ｍ−（３−スルホプロピルアミノ）フェニル基等があげられる。前記置換アリール基の置換基としては、例えば、メチル基、エチル基、イソプロピル基、ｔｅｒｔ−ブチル基、ｎ−オクチル基等のアルキル基；前述と同様のアルコキシ基；前述と同様のハロゲン原子；メチルアミノ基、ジメチルアミノ基等のアルキルアミノ基；アミド基；カルバモイル基；スルファモイル基；スルホアミド基；水酸基；メトキシカルボニル基、エトキシカルボニル基等のエステル基；前述と同様のイオン性親水性基等があげられる。
【０１２４】
前記一般式（Ｍ−１）において、前記置換または無置換のヘテロ環基は、好ましくは、５員または６員環のヘテロ環基である。前記置換または無置換のへテロ環基としては、例えば、２−ピリジル基、２−チエニル基、２−チアゾリル基、２−ベンゾチアゾリル基、２−フリル基、６−スルホベンゾチアゾリル基、６−スルホン酸塩ベンゾチアゾリル基等があげられる。前記置換ヘテロ環基の置換基としては、例えば、アミド基；カルバモイル基；スルファモイル基；スルホアミド基；水酸基；前述と同様のエステル基；前述と同様のイオン性親水性基等があげられる。
【０１２５】
前記一般式（Ｍ−１）において、前記置換または無置換のスルホニル基としては、例えば、メチルスルホニル基、フェニルスルホニル基等があげられる。前記置換スルホニル基の置換基としては、例えば、前述と同様の置換または無置換アルキル基、前述と同様の置換または無置換のアリール基等があげられる。
【０１２６】
前記一般式（Ｍ−１）において、前記置換または無置換のアシル基は、好ましくは、炭素原子数１〜１２のアシル基である。ただし、置換アシル基の場合、前記炭素原子数は、置換基の炭素原子数を含まないものとする。前記置換または無置換のアシル基としては、例えば、アセチル基、ベンゾイル基、クロロアセチル基等があげられる。前記置換アシル基の置換基としては、例えば、前述と同様のイオン性親水性基等があげられる。
【０１２７】
前記一般式（Ｍ−１）において、Ａ１およびＡ２は、前述のとおり、双方が置換または無置換の炭素原子であるか、若しくは一方が置換または無置換の炭素原子であり、且つ、他方が窒素原子である。Ａ１およびＡ２の双方が炭素原子である場合が、より優れた性能を発揮できる点で好ましい。Ａ１およびＡ２の炭素原子に結合する置換基としては、例えば、炭素原子数１〜３のアルキル基、カルボキシル基、カルバモイル基、シアノ基等があげられる。
【０１２８】
前述のとおり、前記一般式（Ｍ−１）において、Ｒ１４とＲ１５とは共に水素原子であることはなく、またＲ１６とＲ１７も共に水素原子であることはない。また、前記一般式（Ｍ−１）において、スルホン酸基若しくはカルボキシル基の置換数が多くなると前記染料（Ｍ−１）の水溶性が向上する傾向があるので、必要に応じてそれらの置換数を調整することが好ましい。
【０１２９】
前記染料（Ｍ−１）の好ましい態様としては、例えば、前記一般式（Ｍ−１）において、Ｒ１１がアルキル基、Ｒ１２がシアノ基、Ｒ１３が水素原子若しくは置換または無置換のヘテロ環基、Ｒ１４が水素原子、置換または無置換のヘテロ環基若しくは置換アリール基、Ｒ１５およびＲ１６が、それぞれ、置換ヘテロ環基または置換アリール基、Ｒ１７が水素原子であり、Ａ１が置換されている炭素原子、Ａ２が置換または無置換の炭素原子である態様があげられる。
【０１３０】
前記染料（Ｍ−１）のより好ましい態様としては、例えば、前記一般式（Ｍ−１）において、Ｒ１１がｔｅｒｔ−ブチル基、Ｒ１２がシアノ基、Ｒ１３が水素原子またはスルホン酸基若しくはそのアルカリ金属塩基で置換されてもよいベンゾチアゾリル基（好ましくは、ベンゾチアゾール−２−イル基）、Ｒ１４が水素原子、スルホン酸基若しくはそのアルカリ金属塩基で置換されてもよいベンゾチアゾリル基（好ましくは、ベンゾチアゾール−２−イル基）またはスルホン酸基若しくはそのアルカリ金属塩基で置換されているトリアルキルフェニル基（好ましくは、メシチル基）、Ｒ１５およびＲ１６が、それぞれ、スルホン酸基若しくはそのアルカリ金属塩基で置換されてもよいモノ、ジ若しくはトリアルキルフェニル基（好ましくは、ｐ−オクチルフェニル基若しくはメシチル基）またはスルホン酸基若しくはそのアルカリ金属塩基で置換されているベンゾチアゾリル基（好ましくは、ベンゾチアゾール−２−イル基）、Ｒ１７が水素原子であり、Ａ１がアルキル基（好ましくは、メチル基）で置換されている炭素原子、Ａ２がシアノ基で置換されてもよい炭素原子である態様である。
【０１３１】
前記染料（Ｍ−１）の好ましい具体例としては、下記の化学式（Ｍ−１ａ）〜（Ｍ−１ｆ）で表される化合物があげられる。
【０１３２】
【化１５】
0005522502.tif 000016
【０１３３】
前記化学式（Ｍ−１ａ）で表される化合物は、前記一般式（Ｍ−１）において、Ｒ１１がｔｅｒｔ−ブチル基、Ｒ１２がシアノ基、Ｒ１３がベンゾチアゾール−２−イル基、Ｒ１４が水素原子、Ｒ１５およびＲ１６がｐ−オクチルフェニル基、Ｒ１７が水素原子であり、Ａ１がメチル基で置換されている炭素原子、Ａ２がシアノ基で置換されている炭素原子である態様である。
【０１３４】
【化１６】
0005522502.tif 000017
【０１３５】
前記化学式（Ｍ−１ｂ）で表される化合物は、前記一般式（Ｍ−１）において、Ｒ１１がｔｅｒｔ−ブチル基、Ｒ１２がシアノ基、Ｒ１３およびＲ１４がベンゾチアゾール−２−イル基、Ｒ１５およびＲ１６がメシチル基、Ｒ１７が水素原子であり、Ａ１がメチル基で置換されている炭素原子、Ａ２が炭素原子である態様である。
【０１３６】
【化１７】
0005522502.tif 000018
【０１３７】
前記化学式（Ｍ−１ｃ）で表される化合物は、前記一般式（Ｍ−１）において、Ｒ１１がｔｅｒｔ−ブチル基、Ｒ１２がシアノ基、Ｒ１３およびＲ１４が６−スルホナトリウム塩ベンゾチアゾール−２−イル基、Ｒ１５およびＲ１６が３−スルホナトリウム塩−メシチル基、Ｒ１７が水素原子であり、Ａ１がメチル基で置換されている炭素原子、Ａ２が炭素原子である態様である。
【０１３８】
【化１８】
0005522502.tif 000019
【０１３９】
前記化学式（Ｍ−１ｄ）で表される化合物は、前記一般式（Ｍ−１）において、Ｒ１１がｔｅｒｔ−ブチル基、Ｒ１２がシアノ基、Ｒ１３およびＲ１４が６−スルホリチウム塩ベンゾチアゾール−２−イル基、Ｒ１５およびＲ１６が２，６−ジエチル−４−メチル−３−スルホリチウム塩フェニル基、Ｒ７が水素原子であり、Ａ１がメチル基で置換されている炭素原子、Ａ２が炭素原子である態様である。
【０１４０】
【化１９】
0005522502.tif 000020
【０１４１】
前記化学式（Ｍ−１ｅ）で表される化合物は、前記一般式（Ｍ−１）において、Ｒ１１がｔｅｒｔ−ブチル基、Ｒ１２がシアノ基、Ｒ１３およびＲ１４が６−スルホカリウム塩ベンゾチアゾール−２−イル基、Ｒ１５およびＲ１６が３−スルホカリウム塩−メシチル基、Ｒ１７が水素原子であり、Ａ１がメチル基で置換されている炭素原子、Ａ２が炭素原子である態様である。
【０１４２】
【化２０】
0005522502.tif 000021
【０１４３】
前記化学式（Ｍ−１ｆ）で表される化合物は、前記一般式（Ｍ−１）において、Ｒ１１がｔｅｒｔ−ブチル基、Ｒ１２がシアノ基、Ｒ１３およびＲ１４が６−スルホリチウム塩ベンゾチアゾール−２−イル基、Ｒ１５およびＲ１６が２，６−ジエチル−４−スルホリチウム塩フェニル基、Ｒ１７が水素原子であり、Ａ１がメチル基で置換されている炭素原子、Ａ２が炭素原子である態様である。
【０１４４】
前記染料（Ｍ−１）の配合量は、特に制限されない。マゼンタインクに前記染料（Ｍ−１）を含ませることで、前記マゼンタインクを用いた記録物の堅牢性を向上させることができる。前述のとおり、前記染料（Ｍ−１）の配合量は、前記マゼンタインク全量に対し、１〜５重量％の範囲であることが好ましく、より好ましくは、１．５〜４．５重量％である。
【０１４５】
前記マゼンタ着色剤は、前記染料（Ｍ−１）のみで構成されていてもよいし、さらに他の染料および顔料等を含んでもよい。
【０１４６】
前記水およびその配合量は、前述のイエローインクにおける水およびその配合量と同様である。
【０１４７】
前記水溶性有機溶剤は、例えば、インクジェットヘッドの先端部におけるインクの乾燥を防止する湿潤剤および記録紙面上での乾燥速度を調整する浸透剤に分類される。
【０１４８】
前記湿潤剤としては、例えば、多価アルコールがあげられる。前記多価アルコールは、限定されず、例えば、アルキレングリコール、グリセリン等があげられる。前記アルキレングリコールは、限定されず、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。前記多価アルコールは、１種類を単独で用いてもよいし、２種類以上を併用してもよい。前記湿潤剤は、前記多価アルコールのみで構成されていてもよいし、さらに他の湿潤剤を含んでもよい。前記多価アルコール以外の湿潤剤および前記湿潤剤の配合量は、前述のイエローインクにおける前記多価アルコール以外の湿潤剤および前記湿潤剤の配合量と同様である。
【０１４９】
前記マゼンタインクは、前記浸透剤として、ジプロピレングリコールプロピルエーテル（ＤＰＰ）を含む。前述のとおり、前記ＤＰＰの配合量は、前記マゼンタインク全量に対し、１〜３重量％である（１≦ｙ≦３の条件を満たす）。前記ＤＰＰの配合量は、好ましくは、１．２〜２．７重量％である。
【０１５０】
前記浸透剤は、前記ＤＰＰのみで構成されていてもよいし、本発明の効果を損なわない範囲で、さらに他の浸透剤を含んでもよい。前記ＤＰＰ以外の浸透剤は、ＤＰＰを除き、前述のイエローインクにおける浸透剤と同様である。
【０１５１】
前述のとおり、前記マゼンタインクは、アセチレングリコール系界面活性剤を含む。前記アセチレングリコール系界面活性剤は、前記一般式（１）で表される界面活性剤を含む。前記一般式（１）において、前記ｐおよびｑは、同一でも異なっていてもよく、ｐ＋ｑ＝１〜１５を満たす数であり、好ましくは、ｐ＋ｑ＝３〜１１を満たす数である。Ｒ４１、Ｒ４２、Ｒ４３およびＲ４４は、それぞれ同一でも異なっていてもよく、炭素原子数１〜５の直鎖状または分岐鎖状アルキル基である。前記アルキル基は、例えば、メチル基、エチル基、プロピル基、イソプロピル基、ブチル基等を含む。
【０１５２】
前記一般式（１）で表される界面活性剤は、例えば、市販品を用いてもよい。前記市販品としては、例えば、日信化学工業（株）製のオルフィン（登録商標）Ｅ１０１０、オルフィン（登録商標）Ｅ１００４、サーフィノール（登録商標）４４０およびサーフィノール（登録商標）４６５；川研ファインケミカル（株）製のアセチレノール（登録商標）Ｅ４０およびアセチレノール（登録商標）Ｅ１００等があげられる。
【０１５３】
前述のとおり、前記一般式（１）で表される界面活性剤の配合量は、前記マゼンタインク全量に対し、０．５〜２．５重量％である（０．５≦ｘ≦２．５の条件を満たす）。前記一般式（１）で表される界面活性剤の配合量は、好ましくは、０．６〜２重量％である。
【０１５４】
前記マゼンタインクは、本発明の効果を損なわない範囲で、前記一般式（１）で表される界面活性剤以外の界面活性剤を含んでもよい。前記一般式（１）で表される界面活性剤以外の界面活性剤は、限定されず、例えば、花王（株）製のアニオン界面活性剤「ＥＭＡＬ（登録商標）」シリーズ、「ＬＡＴＥＭＵＬ（登録商標）」シリーズ、「ＶＥＮＯＬ（登録商標）」シリーズ、「ＮＥＯＰＥＬＥＸ（登録商標）」シリーズ、ＮＳ  ＳＯＡＰ、ＫＳ  ＳＯＡＰ、ＯＳ  ＳＯＡＰ、「ＰＥＬＥＸ（登録商標）」シリーズ等；ライオン（株）製のアニオン界面活性剤「ＬＩＰＯＬＡＮ（登録商標）」シリーズ、「ＬＩＰＯＮ（登録商標）」シリーズ、「ＳＵＮＮＯＬ（登録商標）」シリーズ、「ＬＩＰＯＴＡＣ（登録商標）」シリーズ、「ＥＮＡＧＩＣＯＬ（登録商標）」シリーズ、「ＬＩＰＡＬ（登録商標）」シリーズ、「ＬＯＴＡＴ（登録商標）」シリーズ等；花王（株）製のノニオン界面活性剤「ＥＭＵＬＧＥＮ（登録商標）」シリーズ、「ＲＨＥＯＤＯＬ（登録商標）」シリーズ、「ＥＭＡＳＯＬ（登録商標）」シリーズ、「ＥＸＣＥＬ（登録商標）」シリーズ、「ＥＭＡＮＯＮ（登録商標）」シリーズ、「ＡＭＩＥＴ（登録商標）」シリーズ、「ＡＭＩＮＯＮ（登録商標）」シリーズ等；ライオン（株）製のノニオン界面活性剤「ＤＯＢＡＮＯＸ（登録商標）」シリーズ、「ＬＥＯＣＯＬ（登録商標）」シリーズ、「ＬＥＯＸ（登録商標）」シリーズ、「ＬＡＯＬ（登録商標）」シリーズ、「ＬＥＯＣＯＮ（登録商標）」シリーズ、「ＬＩＯＮＯＬ（登録商標）」シリーズ、「ＣＡＤＥＮＡＸ（登録商標）」シリーズ、「ＬＩＯＮＯＮ（登録商標）」シリーズ、「ＬＥＯＦＡＴ（登録商標）」シリーズ等があげられる。前記一般式（１）で表される界面活性剤以外の界面活性剤は、１種類だけ用いてもよいし、２種類以上用いてもよい。
【０１５５】
前記マゼンタインクは、必要に応じて、さらに、従来公知の添加剤を含んでもよい。前記添加剤は、界面活性剤を除き、前述のイエローインクにおける添加剤と同様である。
【０１５６】
前記マゼンタインクは、例えば、マゼンタ着色剤、水、水溶性有機溶剤およびアセチレングリコール系界面活性剤と、必要に応じて他の添加成分とを、従来公知の方法で均一に混合し、フィルターで不溶解物を除去することにより調製できる。
【０１５７】
前述のとおり、前記マゼンタインクは、前記ジプロピレングリコールプロピルエーテルおよび前記一般式（１）で表される界面活性剤が前記（ｉ）および（ｉｉ）の条件を満たすように配合されているため、噴射安定性に優れ、印字品質にも優れるとともに、インクジェット記録装置内のゴム部材等に由来する化合物のマゼンタインク中への溶出も防止される。
【０１５９】
前記マゼンタインクにおいては、さらに、前記ジプロピレングリコールプロピルエーテルおよび前記一般式（１）で表される界面活性剤が、それぞれ、下記（ｖ）の条件を満たすように配合されている。
（ｖ）      ｙ≧−２ｘ＋３  且つ  ｙ≦−２ｘ＋６
ｘ：マゼンタインク全量に対する一般式（１）で表される界面活性剤の配合量（重量％）
ｙ：マゼンタインク全量に対するジプロピレングリコールプロピルエーテルの配合量（重量％）
これにより、印字品質により優れたマゼンタインクを得ることができる。
【０１６１】
つぎに、前記マゼンタインクの好ましい具体例について説明する。ただし、前記マゼンタインクは、この例に限定されない。
（第１のマゼンタインク）
本例のマゼンタインクにおいては、前記マゼンタ着色剤が、前記染料（Ｍ−１）に加え、さらに、下記の染料（Ｍ−２）を含む。
染料（Ｍ−２）：遊離酸が前記一般式（Ｍ−２ａ）で表される染料（Ｍ−２ａ）、Ｃ．Ｉ．アシッドレッド５２およびＣ．Ｉ．アシッドレッド２８９からなる群から選択される少なくとも一つの染料
【０１６２】
前述のとおり、前記一般式（Ｍ−２ａ）において、
Ｒ１８、Ｒ１９およびＲ２０は、それぞれ、置換または無置換のアルキル基、置換または無置換のアルコキシ基、ハロゲン原子、水素原子、ヒドロキシル基、置換または無置換のカルバモイル基、置換または無置換のスルファモイル基、置換または無置換のアミノ基、ニトロ基、スルホン酸エステル基、置換または無置換のアルキルスルホニル基、置換または無置換のアリールスルホニル基、カルボキシル基、カルボン酸エステル基であり、Ｒ１８、Ｒ１９およびＲ２０は同一でも異なっていてもよく、
ｒは、０、１または２であり、
Ｒ２１、Ｒ２２およびＲ２３は、それぞれ、水素原子、置換または無置換のアルキル基、置換または無置換のアルケニル基、置換または無置換のアリール基、置換または無置換のアラルキル基、置換または無置換の脂環基、置換または無置換のヘテロ環基であり、Ｒ２１、Ｒ２２およびＲ２３は同一でも異なっていてもよい。
【０１６３】
前記一般式（Ｍ−２ａ）において、Ｒ１８、Ｒ１９およびＲ２０における置換または無置換のアルキル基は、好ましくは、総炭素原子数が１〜９のアルキル基である。前記置換または無置換のアルキル基としては、例えば、メチル基、エチル基、ｎ−プロピル基、イソプロピル基、ｎ−ブチル基、トリフルオロメチル基、ジメチルアミノメチル基等があげられる。前記置換アルキル基の置換基としては、例えば、前記一般式（Ｍ−１）で表される染料（Ｍ−１）の置換アルキル基の置換基としてあげたような置換基と同じものがあげられる。
【０１６４】
前記一般式（Ｍ−２ａ）において、Ｒ１８、Ｒ１９およびＲ２０における置換または無置換のアルコキシ基は、好ましくは、総炭素原子数が１〜９のアルコキシ基である。前記置換または無置換のアルコキシ基としては、例えば、メトキシ基、イソプロポキシ基、ｎ−ブトキシ基等があげられる。
【０１６５】
前記一般式（Ｍ−２ａ）において、Ｒ１８、Ｒ１９およびＲ２０におけるハロゲン原子としては、例えば、フッ素原子、塩素原子、臭素原子、ヨウ素原子等があげられる。
【０１６６】
前記一般式（Ｍ−２ａ）において、Ｒ１８、Ｒ１９およびＲ２０における置換または無置換のカルバモイル基としては、例えば、カルバモイル基、Ｎ，Ｎ−ジメチルカルバモイル基、フェニルカルバモイル基等があげられる。
【０１６７】
前記一般式（Ｍ−２ａ）において、Ｒ１８、Ｒ１９およびＲ２０における置換または無置換のスルファモイル基としては、例えば、スルファモイル基、Ｎ−メチルスルファモイル基、Ｎ−エチルスルファモイル基、Ｎ−エチル−Ｎ−フェニルスルファモイル基、Ｎ，Ｎ−ジメチルスルファモイル基、ｐ−カルボキシフェニルスルファモイル基等があげられる。
【０１６８】
前記一般式（Ｍ−２ａ）において、Ｒ１８、Ｒ１９およびＲ２０における置換または無置換のアミノ基としては、例えば、Ｎ−メチルアミノ基、カルバモイルアミノ基、Ｎ，Ｎ−ジエチルアミノ基、アセチルアミノ基等があげられる。
【０１６９】
前記一般式（Ｍ−２ａ）において、Ｒ１８、Ｒ１９およびＲ２０におけるスルホン酸エステル基としては、例えば、フェノキシスルホニル基等があげられる。
【０１７０】
前記一般式（Ｍ−２ａ）において、Ｒ１８、Ｒ１９およびＲ２０における置換または無置換のアルキルスルホニル基は、好ましくは、総炭素原子数が１〜９のアルキルスルホニル基である。前記置換または無置換のアルキルスルホニル基としては、例えば、ヒドロキシエチルスルホニル基等があげられる。
【０１７１】
前記一般式（Ｍ−２ａ）において、Ｒ１８、Ｒ１９およびＲ２０における置換または無置換のアリールスルホニル基は、好ましくは、総炭素原子数が６〜１５のアリールスルホニル基である。前記置換または無置換のアリールスルホニル基としては、例えば、ベンジルスルホニル基等があげられる。
【０１７２】
前記一般式（Ｍ−２ａ）において、Ｒ１８、Ｒ１９およびＲ２０におけるカルボン酸エステル基としては、例えば、メトキシカルボニル基等があげられる。
【０１７３】
前記一般式（Ｍ−２ａ）において、Ｒ２１、Ｒ２２およびＲ２３における置換または無置換のアルキル基は、好ましくは、総炭素原子数が１〜１８のアルキル基である。前記置換または無置換のアルキル基としては、例えば、エチル基、ｎ−ブチル基、ｎ−オクチル基、エチルヘキシル基、ヒドロキシエチル基、カルボキシプロピル基、カルボキシシクロヘキシルメチル基、１−カルボキシ−２−メルカプトエチル基、１−カルボキシ−２−カルバモイル−エチル基、１−イソプロピル−１−カルボキシメチル基、１，２−ジカルボキシプロピル基等があげられる。前記置換アルキル基の置換基としては、例えば、前記一般式（Ｍ−１）で表される染料（Ｍ−１）の置換アルキル基の置換基としてあげたような置換基と同じものがあげられる。
【０１７４】
前記一般式（Ｍ−２ａ）において、Ｒ２１、Ｒ２２およびＲ２３における置換または無置換のアルケニル基は、好ましくは、総炭素原子数が２〜１８のアルケニル基である。前記置換または無置換のアルケニル基としては、例えば、２−メチル−１−プロペニル基、ビニル基、アリル基等があげられる。
【０１７５】
前記一般式（Ｍ−２ａ）において、Ｒ２１、Ｒ２２およびＲ２３における置換または無置換のアリール基としては、例えば、３，４−ジカルボキシフェニル基、４−ブチルフェニル基、４−カルボキシフェニル基等があげられる。前記置換アリール基の置換基としては、例えば、前記一般式（Ｍ−１）で表される染料（Ｍ−１）の置換アリール基の置換基としてあげたような置換基と同じものがあげられる。
【０１７６】
前記一般式（Ｍ−２ａ）において、Ｒ２１、Ｒ２２およびＲ２３における置換または無置換のアラルキル基としては、例えば、ベンジル基、１−カルボキシ−２−フェニル−エチル基、１−カルボキシ−２−ヒドロキシフェニルエチル基、４−カルボキシベンジル基等があげられる。
【０１７７】
前記一般式（Ｍ−２ａ）において、Ｒ２１、Ｒ２２およびＲ２３における置換または無置換の脂環基としては、例えば、シクロヘキシル基、４−カルボキシシクロヘキシル基等があげられる。
【０１７８】
前記一般式（Ｍ−２ａ）において、Ｒ２１、Ｒ２２およびＲ２３における置換または無置換のヘテロ環基としては、例えば、ピリジル基、チアジアゾリル基、ベンゾチアゾリル基、２，２，６，６−テトラメチルピペリジニル基等があげられる。前記置換ヘテロ環基の置換基としては、例えば、前記一般式（Ｍ−１）で表される染料（Ｍ−１）の置換ヘテロ環基の置換基としてあげたような置換基と同じものがあげられる。
【０１７９】
前記一般式（Ｍ−２ａ）において、Ｒ２１、Ｒ２２およびＲ２３としては、少なくとも一つが１〜４個のカルボキシル基またはスルファモイル基で置換されているアルキル基、アルケニル基、アリール基、脂環基、アラルキル基若しくはヘテロ環基等であってもよい。
【０１８０】
前記一般式（Ｍ−２ａ）において、Ｒ２１およびＲ２２は、それぞれ、水素原子または３置換フェニル基であってもよく、Ｒ２１およびＲ２２は同一でも異なっていてもよい。ここで、前記３置換フェニル基の三つの置換基は、それぞれ、水素原子、ハロゲン原子、水酸基、総炭素原子数が１〜９の置換または無置換のアルキル基、総炭素原子数が１〜９の置換または無置換アルコキシ基、置換または無置換カルバモイル基、置換または無置換のスルファモイル基、置換または無置換のアミノ基、ニトロ基、スルホン酸エステル基、カルボン酸エステル基であり、前記三つの置換基は、同一でも異なっていてもよい。
【０１８１】
前記染料（Ｍ−２ａ）の好ましい態様としては、例えば、前記一般式（Ｍ−２ａ）において、Ｒ２１、Ｒ２２およびＲ２３の少なくとも１つが、１〜４個のカルボキシル基またはスルファモイル基で置換されているアルキル基、アルケニル基、アリール基、アラルキル基若しくはシクロヘキシル基である態様があげられる。
【０１８２】
前記染料（Ｍ−２ａ）は、その構造中に、スルホン酸基およびカルボキシル基またはこれらの塩を合計で６個以下、好ましくは５個以下、特に好ましくは４個以下有することが好ましい。また、前記染料（Ｍ−２ａ）は、遊離酸型のまま使用してもよいが、製造時に塩型で得られた場合はそのまま使用してもよいし、所望の塩型に変換してもよい。また、前記染料（Ｍ−２ａ）は、酸基の一部が塩型のものであってもよく、塩型の染料と遊離酸型の染料が混在していてもよい。このような塩型としては、例えば、Ｎａ、Ｌｉ、Ｋ等のアルカリ金属の塩、アルキル基若しくはヒドロキシアルキル基で置換されていてもよいアンモニウムの塩、または有機アミンの塩等があげられる。前記有機アミンとしては、例えば、低級アルキルアミン、ヒドロキシ置換低級アルキルアミン、カルボキシ置換低級アルキルアミン、炭素原子数２〜４のアルキレンイミン単位を２〜１０個有するポリアミン等があげられる。これらの塩型の場合、その種類は、１種類に限られず複数種混在していてもよい。
【０１８３】
前記染料（Ｍ−２ａ）の好ましい態様としては、例えば、前記一般式（Ｍ−２ａ）において、ｒが０であり、Ｒ１８がカルボキシル基、カルバモイル基、トリフルオロメチル基、スルファモイル基であり、Ｒ１９およびＲ２０が水素原子であり、Ｒ２１がカルボキシル基若しくはスルファモイル基で置換されてもよいフェニル基またはカルボキシアルキル基であり、Ｒ２２が水素原子であり、Ｒ２３が水素原子またはアルキル基である態様があげられる。
【０１８４】
前記染料（Ｍ−２ａ）の特に好ましい具体例としては、下記の化学式（Ｍ−２ａ−１）〜（Ｍ−２ａ−５）で表される化合物があげられる。
【０１８５】
【化２１】
0005522502.tif 000022
【０１８６】
前記化学式（Ｍ−２ａ−１）で表される化合物は、前記一般式（Ｍ−２ａ）において、ｒが０、Ｒ１８がアゾ基に結合するフェニル基の２位に位置するカルボキシル基、Ｒ１９、Ｒ２０およびＲ２２が水素原子、Ｒ２１が２−カルボキシフェニル基、Ｒ２３が水素原子である態様である。前記化学式（Ｍ−２ａ−１）で表される化合物において、ナフタレン環の３位および６位に位置するスルホン酸は、アンモニウム塩となっている。
【０１８７】
【化２２】
0005522502.tif 000023
【０１８８】
前記化学式（Ｍ−２ａ−２）で表される化合物は、前記一般式（Ｍ−２ａ）において、ｒが０、Ｒ１８がアゾ基に結合するフェニル基の２位に位置するカルバモイル基、Ｒ１９、Ｒ２０およびＲ２２が水素原子、Ｒ２１が２−カルボキシフェニル基、Ｒ２３が水素原子である態様である。前記化学式（Ｍ−２ａ−２）で表される化合物において、ナフタレン環の３位および６位に位置するスルホン酸は、ナトリウム塩となっている。
【０１８９】
【化２３】
0005522502.tif 000024
【０１９０】
前記化学式（Ｍ−２ａ−３）で表される化合物は、前記一般式（Ｍ−２ａ）において、ｒが０、Ｒ１８がアゾ基に結合するフェニル基の３位に位置するスルファモイル基、Ｒ１９、Ｒ２０およびＲ２２が水素原子、Ｒ２１が２−スルファモイルフェニル基、Ｒ２３がイソプロピル基である態様である。前記化学式（Ｍ−２ａ−３）で表される化合物において、ナフタレン環の３位および６位に位置するスルホン酸は、エチルアンモニウム塩となっている。
【０１９１】
【化２４】
0005522502.tif 000025
【０１９２】
前記化学式（Ｍ−２ａ−４）で表される化合物は、前記一般式（Ｍ−２ａ）において、ｒが０、Ｒ１８がアゾ基に結合するフェニル基の２位に位置するトリフルオロメチル基、Ｒ１９、Ｒ２０およびＲ２２が水素原子、Ｒ２１が１−カルボキシ−２−メチルブチル基、Ｒ２３がメチル基である態様である。前記化学式（Ｍ−２ａ−４）で表される化合物において、ナフタレン環の３位および６位に位置するスルホン酸は、メチルアンモニウム塩となっている。
【０１９３】
【化２５】
0005522502.tif 000026
【０１９４】
前記化学式（Ｍ−２ａ−５）で表される化合物は、前記一般式（Ｍ−２ａ）において、ｒが０、Ｒ１８がアゾ基に結合するフェニル基の２位に位置するカルボキシル基、Ｒ１９、Ｒ２０およびＲ２２が水素原子、Ｒ２１がフェニル基、Ｒ２３が水素原子である態様である。前記化学式（Ｍ−２ａ−５）で表される化合物において、ナフタレン環の３位および６位に位置するスルホン酸は、アンモニウム塩となっている。
【０１９５】
Ｃ．Ｉ．アシッドレッド５２は、例えば、下記化学式（Ｍ−２ｂ）で表される染料である。
【０１９６】
【化２６】
0005522502.tif 000027
【０１９７】
Ｃ．Ｉ．アシッドレッド２８９は、例えば、下記化学式（Ｍ−２ｃ）で表される染料である。
【０１９８】
【化２７】
0005522502.tif 000028
【０１９９】
本例のマゼンタインクにおいて、前記染料（Ｍ−２）の配合量は、特に制限されない。マゼンタインクに前記染料（Ｍ−２）を含ませることで、発色性により優れたマゼンタインクを得ることができる。前記染料（Ｍ−２）の配合量は、前記マゼンタインク全量に対し、例えば、０．１〜２．１重量％であり、好ましくは、０．３〜１．４重量％である。
【０２００】
本例のマゼンタインクにおける前記染料（Ｍ−１）と前記染料（Ｍ−２）との重量比は、染料（Ｍ−１）：染料（Ｍ−２）＝７０：３０〜９０：１０であることが好ましい。
【０２０１】
本例のマゼンタインクにおいて、前記染料（Ｍ−１）と前記染料（Ｍ−２）との合計配合量は、特に制限されないが、前記マゼンタインク全量に対し、１．１〜７．１重量％であることが好ましく、より好ましくは、２〜５重量％である。
【０２０２】
これら以外の本例のマゼンタインクの組成については、前記マゼンタインクと同様である。
【０２０３】
（シアンインク）
つぎに、前記シアンインクについて説明する。前述のとおり、前記シアンインクは、シアン着色剤、水および水溶性有機溶剤を含む。前記シアン着色剤は、前記染料（Ｃ−１）および前記染料（Ｃ−２）を含む。
【０２０４】
前述のとおり、前記染料（Ｃ−１）は、前記一般式（Ｃ−１）で表される染料である。
【０２０５】
前述のとおり、前記一般式（Ｃ−１）において、
Ｐｃ（Ｃｕ）は、前記一般式（Ｐｃ）で表される銅フタロシアニン核であり、
Ｒ３１、Ｒ３２、Ｒ３３およびＲ３４は、それぞれ、−ＳＯ２Ｒａ、−ＳＯ２ＮＲｂＲｃおよび−ＣＯ２Ｒａからなる群から選択される置換基であり、Ｒ３１、Ｒ３２、Ｒ３３およびＲ３４のすべてが同一であることはなく、Ｒ３１、Ｒ３２、Ｒ３３およびＲ３４の少なくとも一つは、イオン性親水性基を置換基として有し、Ｒ３１、Ｒ３２、Ｒ３３およびＲ３４の少なくとも一つは、一般式（Ｐｃ）で表される銅フタロシアニン核中の４つのベンゼン環Ａ、Ｂ、ＣおよびＤのそれぞれに存在し、Ｒａは、置換または無置換のアルキル基であり、Ｒｂは、水素原子、置換または無置換のアルキル基であり、Ｒｃは、置換または無置換のアルキル基であり、
ｋは、０＜ｋ＜８を満たす整数であり、ｌは、０＜ｌ＜８を満たす整数であり、ｍは、０≦ｍ＜８を満たす整数であり、ｎは、０≦ｎ＜８を満たす整数であり、且つ、ｋ、ｌ、ｍおよびｎは、４≦ｋ＋ｌ＋ｍ＋ｎ≦８を満たす整数である。
【０２０６】
前記一般式（Ｃ−１）において、前記置換または無置換のアルキル基は、好ましくは、炭素原子数１〜１２の直鎖、分岐鎖または脂環式アルキル基である。前記アルキル基は、染料の溶解性およびインクの安定性を向上させる観点から、分岐鎖を有するものが好ましく、不斉炭素を有するもの（ラセミ体での使用）が特に好ましい。前記置換または無置換のアルキル基としては、例えば、メチル基、エチル基、ｎ−ブチル基、イソプロピル基、ｔｅｒｔ−ブチル基、ヒドロキシエチル基、メトキシエチル基、シアノエチル基、トリフルオロメチル基、３−スルホプロピル基、４−スルホブチル基等があげられる。
【０２０７】
前記一般式（Ｃ−１）において、前記置換アルキル基の置換基としては、例えば、メチル基、エチル基、プロピル基、イソプロピル基、ｓｅｃ−ブチル基、ｔｅｒｔ−ブチル基、２−エチルヘキシル基、２−メチルスルホニルエチル基、３−フェノキシプロピル基、トリフルオロメチル基、シクロペンチル基等の炭素原子数１〜１２の直鎖または分岐鎖アルキル基；炭素原子数７〜１８の直鎖または分岐鎖アラルキル基；炭素原子数２〜１２の直鎖または分岐鎖アルケニル基；炭素原子数２〜１２の直鎖または分岐鎖アルキニル基；炭素原子数３〜１２の直鎖または分岐鎖シクロアルキル基；炭素原子数３〜１２の直鎖または分岐鎖シクロアルケニル基；塩素原子、臭素原子等のハロゲン原子；フェニル基、４−ｔｅｒｔ−ブチルフェニル基、２，４−ジ−ｔｅｒｔ−アミノフェニル基等のアリール基；イミダゾリル基、ピラゾリル基、トリアゾリル基、２−フリル基、２−チエニル基、２−ピリミジニル基、２−ベンゾチアゾリル基等のヘテロ環基；シアノ基；ヒドロキシル基；ニトロ基；カルボキシ基；アミノ基；メトキシ基、エトキシ基、２−メトキシエトキシ基、２−メタンスルホニルエトキシ基等のアルコキシ基；フェノキシ基、２−メチルフェノキシ基、４−ｔｅｒｔ−ブチルフェノキシ基、３−ニトロフェノキシ基、３−ｔｅｒｔ−ブトキシカルバモイルフェノキシ基、３−メトキシカルバモイル基等のアリールオキシ基；アセトアミド基、ベンズアミド基、４−（３−ｔｅｒｔ−ブチル−４−ヒドロキシフェノキシ）ブタンアミド基等のアシルアミノ基；メチルアミノ基、ブチルアミノ基、ジエチルアミノ基、メチルブチルアミノ基等のアルキルアミノ基；フェニルアミノ基、２−クロロアニリノ基等のアニリノ基；フェニルウレイド基、メチルウレイド基、Ｎ，Ｎ−ジブチルウレイド基等のウレイド基；Ｎ，Ｎ−ジプロピルスルファモイルアミノ基等のスルファモイルアミノ基；メチルチオ基、オクチルチオ基、２−フェノキシエチルチオ基等のアルキルチオ基；フェニルチオ基、２−ブトキシ−５−ｔｅｒｔ−オクチルフェニルチオ基、２−カルボキシフェニルチオ基等のアリールチオ基；メトキシカルボニルアミノ基等のアルコキシカルボニルアミノ基；メタンスルホンアミド基、ベンゼンスルホンアミド基、ｐ−トルエンスルホンアミド等のスルホンアミド基；Ｎ−エチルカルバモイル基、Ｎ，Ｎ−ジブチルカルバモイル基等のカルバモイル基；Ｎ−エチルスルファモイル基、Ｎ，Ｎ−ジプロピルスルファモイル基、Ｎ−フェニルスルファモイル基等のスルファモイル基；メタンスルホニル基、オクタンスルホニル基、ベンゼンスルホニル基、トルエンスルホニル基等のスルホニル基；メトキシカルボニル基、ブトキシカルボニル基等のアルコキシカルボニル基；１−フェニルテトラゾール−５−オキシ基、２−テトラヒドロピラニルオキシ基等のヘテロ環オキシ基；フェニルアゾ基、４−メトキシフェニルアゾ基、４−ピバロイルアミノフェニルアゾ基、２−ヒドロキシ−４−プロパノイルフェニルアゾ等のアゾ基；アセトキシ基等のアシルオキシ基；Ｎ−メチルカルバモイルオキシ基、Ｎ−フェニルカルバモイルオキシ基等のカルバモイルオキシ基；トリメチルシリルオキシ基、ジブチルメチルシリルオキシ基等のシリルオキシ基；フェノキシカルボニルアミノ基等のアリールオキシカルボニルアミノ基；Ｎ−スクシンイミド、Ｎ−フタルイミド等のイミド基；２−ベンゾチアゾリルチオ基、２，４−ジフェノキシ−１，３，５−トリアゾール−６−チオ基、２−ピリジルチオ基等のヘテロ環チオ基；３−フェノキシプロピルスルフィニル基等のスルフィニル基；フェノキシホスホニル基、オクチルオキシホスホニル基、フェニルホスホニル基等のホスホニル基；フェノキシカルボニル基等のアリールオキシカルボニル基；アセチル基、３−フェニルプロパノイル基、ベンゾイル基等のアシル基；カルボキシル基、スルホ基、ホスホノ基、４級アンモニウム基等のイオン性親水性基等があげられる。前記置換アルキルの置換基である前記アルキル基、前記アラルキル基、前記アルケニル基、前記アルキニル基、前記シクロアルキル基およびシクロアルケニル基は、染料の溶解性およびインクの安定性を向上させる観点から、分岐鎖を有するものが好ましく、不斉炭素を有するものが特に好ましい。
【０２０８】
前記染料（Ｃ−１）の好ましい態様としては、例えば、前記一般式（Ｃ−１）において、Ｒ３１、Ｒ３２、Ｒ３３およびＲ３４が、それぞれ、−ＳＯ２Ｒａであり、Ｒ３１、Ｒ３２、Ｒ３３およびＲ３４がそれぞれ有するＲａのすべてが同一であることはなく、少なくとも一つのＲａが、イオン性親水性基を有する置換アルキル基である態様である。
【０２０９】
前記染料（Ｃ−１）のより好ましい態様としては、例えば、前記一般式（Ｃ−１）において、ｋは、０＜ｋ＜４を満たす整数であり、ｌは、０＜ｌ＜４を満たす整数であり、ｍは、０≦ｍ＜４を満たす整数であり、ｎは、０≦ｎ＜４を満たす整数であり、且つ、ｋ、ｌ、ｍおよびｎは、ｋ＋ｌ＋ｍ＋ｎ＝４を満たす整数である態様である。
【０２１０】
前記染料（Ｃ−１）の好ましい具体例としては、下記の化学式（Ｃ−１ａ）〜（Ｃ−１ｅ）で表される化合物があげられる。
【０２１１】
【化２８】
0005522502.tif 000029
【０２１２】
前記化学式（Ｃ−１ａ）で表される化合物は、前記一般式（Ｃ−１）において、Ｒ３１がリチウムスルホナトプロピルスルホニル基、Ｒ３２がＮ−（２−ヒドロキシプロピル）スルファモイルプロピルスルホニル基であり、ｋが３、ｌが１、ｍおよびｎが共に０である態様である。
【０２１３】
【化２９】
0005522502.tif 000030
【０２１４】
前記化学式（Ｃ−１ｂ）で表される化合物は、前記一般式（Ｃ−１）において、Ｒ３１がリチウムスルホナトプロピルスルホニル基、Ｒ３２がＮ−（２−ヒドロキシイソプロピル）スルファモイルプロピルスルホニル基であり、ｋが３、ｌが１、ｍおよびｎが共に０である態様である。
【０２１５】
【化３０】
0005522502.tif 000031
【０２１６】
前記化学式（Ｃ−１ｃ）で表される化合物は、前記一般式（Ｃ−１）において、Ｒ３１がリチウムスルホナトプロピルスルホニル基、Ｒ３２がＮ，Ｎ−（ジ（２−ヒドロキシエチル））スルファモイルプロピルスルホニル基であり、ｋが３、ｌが１、ｍおよびｎが共に０である態様である。
【０２１７】
【化３１】
0005522502.tif 000032
【０２１８】
前記化学式（Ｃ−１ｄ）で表される化合物は、前記一般式（Ｃ−１）において、Ｒ３１がリチウムスルホナトプロピルスルホニル基、Ｒ３２がＮ−（２−ヒドロキシプロピル）スルファモイルプロピルスルホニル基、Ｒ３３がＮ−（２−ヒドロキシイソプロピル）スルファモイルプロピルスルホニル基であり、ｋが２、ｌが１、ｍが１、ｎが０である態様である。
【０２１９】
【化３２】
0005522502.tif 000033
【０２２０】
前記化学式（Ｃ−１ｅ）で表される化合物は、前記一般式（Ｃ−１）において、Ｒ３１がリチウムスルホナトプロピルスルホニル基、Ｒ３２がリチウムカルボキシラトプロピルスルホニル基、Ｒ３３がＮ−（２−ヒドロキシプロピル）スルファモイルプロピルスルホニル基、Ｒ３４がＮ−（２−ヒドロキシイソプロピル）スルファモイルプロピルスルホニル基であり、ｋ、ｌ、ｍおよびｎが共に１である態様である。
【０２２１】
前記染料（Ｃ−１）の配合量は、特に制限されない。シアンインクに前記染料（Ｃ−１）を含ませることで、前記シアンインクを用いた記録物の堅牢性を向上させることができる。前述のとおり、前記染料（Ｃ−１）の配合量は、前記シアンインク全量に対し、１〜５重量％の範囲であることが好ましく、より好ましくは、１．５〜４重量％である。
【０２２２】
前述のとおり、前記染料（Ｃ−２）は、前記一般式（Ｃ−２）で表される染料である。
【０２２３】
前記一般式（Ｃ−２）において、
Ｐｃ（Ｃｕ）は、前記一般式（Ｐｃ）で表される銅フタロシアニン核であり、
ｓは、０＜ｓ＜４を満たす整数であり、ｔは、０≦ｔ＜４を満たす整数であり、且つ、ｓおよびｔは、２≦ｓ＋ｔ≦５を満たす整数である。
ＳＯ３Ｍ２基は、一般式（Ｐｃ）で表される銅フタロシアニン核中の４つのベンゼン環Ａ、Ｂ、ＣおよびＤのいずれかに存在し、
ｔ≠０において、ＳＯ２ＮＨ２基は、一般式（Ｐｃ）で表される銅フタロシアニン核中の４つのベンゼン環Ａ、Ｂ、ＣおよびＤのいずれかに存在し、
Ｍ２は、リチウムイオン、ナトリウムイオン、カリウムイオンまたはアンモニウムイオンである。
【０２２４】
前記染料（Ｃ−２）の好ましい具体例としては、下記の化学式（Ｃ−２ａ）〜（Ｃ−２ｄ）で表される化合物およびＣ．Ｉ．ダイレクトブルー８６があげられる。
【０２２５】
【化３３】
0005522502.tif 000034
【０２２６】
前記化学式（Ｃ−２ａ）で表される化合物は、前記一般式（Ｃ−２）において、Ｍ２がナトリウムイオンであり、ｓが１、ｔが３であり、１つのＳＯ３Ｎａ基および３つのＳＯ２ＮＨ２基が、それぞれ、一般式（Ｐｃ）で表される銅フタロシアニン核中の４つのベンゼン環Ａ、Ｂ、ＣおよびＤのそれぞれに存在する態様である。
【０２２７】
【化３４】
0005522502.tif 000035
【０２２８】
前記化学式（Ｃ−２ｂ）で表される化合物は、前記一般式（Ｃ−２）において、Ｍ２がナトリウムイオンであり、ｓおよびｔが共に２であり、２つのＳＯ３Ｎａ基および２つのＳＯ２ＮＨ２基が、それぞれ、一般式（Ｐｃ）で表される銅フタロシアニン核中の４つのベンゼン環Ａ、Ｂ、ＣおよびＤのそれぞれに存在する態様である。
【０２２９】
【化３５】
0005522502.tif 000036
【０２３０】
前記化学式（Ｃ−２ｃ）で表される化合物は、前記一般式（Ｃ−２）において、Ｍ２がナトリウムイオンであり、ｓが３、ｔが１であり、３つのＳＯ３Ｎａ基および１つのＳＯ２ＮＨ２基が、それぞれ、一般式（Ｐｃ）で表される銅フタロシアニン核中の４つのベンゼン環Ａ、Ｂ、ＣおよびＤのそれぞれに存在する態様である。
【０２３１】
【化３６】
0005522502.tif 000037
【０２３２】
前記化学式（Ｃ−２ｄ）で表される化合物は、前記一般式（Ｃ−２）において、Ｍ２がアンモニウムイオンであり、ｓが１、ｔが３であり、１つのＳＯ３ＮＨ４基および３つのＳＯ２ＮＨ２基が、それぞれ、一般式（Ｐｃ）で表される銅フタロシアニン核中の４つのベンゼン環Ａ、Ｂ、ＣおよびＤのそれぞれに存在する態様である。
【０２３３】
Ｃ．Ｉ．ダイレクトブルー８６は、例えば、下記化学式（Ｃ−２ｅ）で表される染料である。
【０２３４】
【化３７】
0005522502.tif 000038
【０２３５】
前記構造式（Ｃ−２ｅ）で表される染料は、前記一般式（Ｃ−２）において、Ｍ２がナトリウムイオンであり、ｓが２、ｔが０であり、２つのＳＯ３Ｎａ基が、それぞれ、前記一般式（Ｐｃ）で表される銅フタロシアニン核中の４つのベンゼン環Ａ、Ｂ、ＣおよびＤのいずれかに存在する態様である。
【０２３６】
前記染料（Ｃ−２）の配合量は、特に制限されない。シアンインクに前記染料（Ｃ−２）を含ませることで、発色性を向上させることができる。前記染料（Ｃ−２）の配合量は、前記シアンインク全量に対し、例えば、０．１〜２．１重量％であり、好ましくは、０．２〜１．２重量％である。
【０２３７】
前述のとおり、前記シアンインクにおける前記染料（Ｃ−１）と前記染料（Ｃ−２）との重量比は、染料（Ｃ−１）：染料（Ｃ−２）＝７０：３０〜９５：５である。
【０２３８】
前記染料（Ｃ−１）と前記染料（Ｃ−２）との合計配合量は、特に制限されないが、前記シアンインク全量に対し、１．１〜７．１重量％であることが好ましく、より好ましくは、２〜５重量％である。
【０２３９】
前記シアン着色剤は、前記染料（Ｃ−１）および前記（Ｃ−２）のみで構成されていてもよいし、さらに他の染料および顔料等を含んでもよい。
【０２４０】
前記水およびその配合量は、前述のイエローインクにおける水およびその配合量と同様である。
【０２４１】
前記湿潤剤およびその配合量は、前述のマゼンタインクにおける湿潤剤およびその配合量と同様である。前記浸透剤およびその配合量は、前述のイエローインクにおける浸透剤およびその配合量と同様である。
【０２４２】
前記シアンインクは、必要に応じて、さらに、従来公知の添加剤を含んでもよい。前記添加剤は、前述のイエローインクにおける添加剤と同様である。
【０２４３】
前記シアンインクは、例えば、シアン着色剤、水および水溶性有機溶剤と、必要に応じて他の添加成分とを、従来公知の方法で均一に混合し、フィルターで不溶解物を除去することにより調製できる。
【０２４４】
本発明のインクジェット記録用インクセットにおいて、前記各色のインクの好ましい組み合わせとしては、例えば、表１に示すセット１〜６があげられる。ただし、これらの組み合わせは例示に過ぎず、本発明のインクジェット記録用インクセットはこれに限定されない。
【０２４５】
（表１）
イエローインク          マゼンタインク      シアンインク  
セット１          イエローインク          マゼンタインク      シアンインク
セット２          イエローインク      第１のマゼンタインク    シアンインク
セット３      第１のイエローインク        マゼンタインク      シアンインク
セット４      第１のイエローインク    第１のマゼンタインク    シアンインク
セット５      第２のイエローインク        マゼンタインク      シアンインク
セット６      第２のイエローインク    第１のマゼンタインク    シアンインク
【０２４６】
本発明のインクジェット記録用インクセットは、前記３色のインクを含むことにより、フルカラー記録に対応可能である。本発明のインクセットは、前記３色のインクのみで構成されていてもよいし、さらに他の色のインクを含んでもよい。前記他の色のインクとしては、例えば、ブラックインク、レッドインク、グリーンインク、ブルーインク、染料濃度が低いライトインク（ライトイエローインク、ライトマゼンタインク、ライトシアンインク、ライトブラックインク、ライトレッドインク、ライトグリーンインク、ライトブルーインク等）等があげられる。フルカラー記録がより好適に対応可能となることから、本発明のインクセットは、ブラックインクを含むことが特に好ましい。
【０２４７】
前述のとおり、本発明のインクカートリッジは、イエローインク、マゼンタインクおよびシアンインクのそれぞれの収納部を有するインクカートリッジであって、前記イエローインク、前記マゼンタインクおよび前記シアンインクが、本発明の前記インクジェット記録用インクセットのイエローインク、マゼンタインクおよびシアンインクである。本発明のインクカートリッジは、さらに、前記他の色のインクの収納部を有してもよい。
【０２４８】
本発明のインクカートリッジは、１色のインクの収納部を有するインクカートリッジが複数集まったインクカートリッジ集合体であることが好ましい。ただし、本発明はこれに限定されない。本発明のインクカートリッジは、各色のインクの収納部を形成するようにその内部が間仕切りされた一体型のインクカートリッジであってもよい。本発明のインクカートリッジの本体としては、例えば、従来公知のものを使用できる。
【０２４９】
つぎに、本発明のインクジェット記録装置について説明する。本発明のインクジェット記録装置は、本発明の前記インクカートリッジを含む。これを除き、本発明のインクジェット記録装置の構成は、例えば、従来公知のインクジェット記録装置と同様であってもよい。
【０２５０】
図１に、本発明のインクジェット記録装置の一例の構成を示す。図示のとおり、このインクジェット記録装置１は、４つのインクカートリッジ２と、インクジェットヘッド３と、ヘッドユニット４と、キャリッジ５と、駆動ユニット６と、プラテンローラ７と、パージ装置８とを主要な構成部材として含む。
【０２５１】
前記４つのインクカートリッジ２は、イエロー、マゼンタ、シアンおよびブラックの４色のインクを、それぞれ１色ずつ含む。前記４色のインクが、本発明の前記インクセットのイエローインク、マゼンタインク、シアンインクおよびブラックインクである。前記インクジェットヘッド３は、記録紙等の被記録材Ｐに印字を行う。前記ヘッドユニット４は、前記インクジェットヘッド３を備えている。前記キャリッジ５には、前記４つのインクカートリッジ２および前記ヘッドユニット４が搭載される。前記駆動ユニット６は、前記キャリッジ５を直線方向に往復移動させる。前記プラテンローラ７は、前記キャリッジ５の往復方向に延び、前記インクジェットヘッド３と対向して配置されている。
【０２５２】
前記駆動ユニット６は、キャリッジ軸９と、ガイド板１０と、２つのプーリ１１および１２と、エンドレスベルト１３とを含む。前記キャリッジ軸９は、前記キャリッジ５の下端部に配置され、前記プラテンローラ７と平行に延びている。前記ガイド板１０は、前記キャリッジ部５の上端部に配置され、前記キャリッジ軸９と平行に延びている。前記２つのプーリ１１および１２は、前記キャリッジ軸９と前記ガイド板１０との間であって、前記キャリッジ軸９の両端部に配置されている。前記エンドレスベルト１３は、前記２つのプーリ１１および１２の間に掛け渡されている。
【０２５３】
このインクジェット記録装置１において、前記プーリ１１がキャリッジモータ１０１の駆動により正逆回転されると、前記プーリ１１の正逆回転に伴って、前記エンドレスベルト１３に接合されている前記キャリッジ５が、前記キャリッジ軸９および前記ガイド板１０に沿って、直線方向に往復移動する。
【０２５４】
前記被記録材Ｐは、このインクジェット記録装置１の側方又は下方に設けられた給紙カセット（図示せず）から給紙される。前記被記録材Ｐは、前記インクジェットヘッド３と、前記プラテンローラ７との間に導入される。すると、前記被記録材Ｐに、前記インクジェットヘッド３から吐出されるインクにより所定の印字がなされる。前記被記録材Ｐは、その後、前記インクジェット記録装置１から排紙される。図１においては、前記被記録材Ｐの給紙機構及び排紙機構の図示を省略している。
【０２５５】
前記パージ装置８は、前記プラテンローラ７の側方に設けられ、前記ヘッドユニット４がリセット位置（この例においては、前記パージ装置８の上部）にある時に、前記インクジェットヘッド３と対向するように配置されている。前記パージ装置８は、パージキャップ１４と、ポンプ１５およびカム１６と、インク貯留部１７とを含む。前記パージキャップ１４は、前記ヘッドユニット４が前記リセット位置にある時に、前記インクジェットヘッド３の複数のノズル（図示せず）を覆う。前記ポンプ１５は、前記カム１６の駆動により前記インクジェットヘッド３の内部に溜まる気泡等を含んだ不良インクを吸引する。これにより、前記インクジェットヘッドの回復が図られる。前記吸引された不良インクは、前記インク貯留部１７に貯められる。
【０２５６】
前記パージ装置８の前記プラテンローラ７側の位置には、前記パージ装置８に隣接してワイパ部材２０が配設されている。前記ワイパ部材２０は、へら状に形成されており、前記キャリッジ５の移動に伴って、前記インクジェットヘッド３のノズル形成面を拭うものである。図１において、キャップ１８は、インクの乾燥を防止するため、印字が終了すると前記リセット位置に戻される前記インクジェットヘッド３の複数のノズルを覆うものである。
【０２５７】
この例のインクジェット記録装置１においては、前記４つのインクカートリッジ２は、１個のキャリッジ５に搭載されている。ただし、本発明は、これに限定されない。本発明のインクジェット記録装置において、前記４つのインクカートリッジは、複数のキャリッジに搭載されていてもよい。また、前記インクカートリッジは、前記キャリッジには搭載されず、インクジェット記録装置内に配置、固定されていてもよい。この態様においては、例えば、前記インクカートリッジと、前記キャリッジに搭載された前記ヘッドユニットとが、チューブ等により連結され、前記チューブ等により、前記インクカートリッジから前記ヘッドユニットに前記インクが供給される。
【実施例】
【０２５８】
つぎに、本発明の実施例について比較例と併せて説明する。なお、本発明は、下記の実施例および比較例によってなんら限定ないし制限されない。
【０２５９】
〔イエローインクの調製〕
インク組成成分（表２）を、均一に混合した。その後、得られた混合物を、東洋濾紙（株）製の親水性ポリテトラフルオロエチレン（ＰＴＦＥ）タイプメンブレンフィルタ（孔径０．２μｍ）を用いてろ過することで、イエローインクＹ１〜Ｙ５およびＹ６ｃ〜Ｙ９ｃを得た。なお、表２において、染料（Ｙ−１ａ）〜（Ｙ−１ｅ）は、それぞれ、前記化学式（Ｙ−１ａ）〜（Ｙ−１ｅ）で表される化合物である。
【０２６０】
〔マゼンタインクの調製〕
インク組成成分（表３）を、均一に混合した。その後、得られた混合物を、東洋濾紙（株）製の親水性ポリテトラフルオロエチレン（ＰＴＦＥ）タイプメンブレンフィルタ（孔径０．２μｍ）を用いてろ過することで、マゼンタインクＭ１〜Ｍ４およびＭ１０ｃ〜Ｍ１８ｃを得た。なお、表３において、染料（Ｍ−１ａ）〜（Ｍ−１ｆ）は、それぞれ、前記化学式（Ｍ−１ａ）〜（Ｍ−１ｆ）で表される化合物であり、染料（Ｍ−２ａ−１）〜（Ｍ−２ａ−５）は、それぞれ、前記化学式（Ｍ−２ａ−１）〜（Ｍ−２ａ−５）で表される化合物である。
【０２６１】
〔シアンインクの調製〕
インク組成成分（表４）を、均一に混合した。その後、得られた混合物を、東洋濾紙（株）製の親水性ポリテトラフルオロエチレン（ＰＴＦＥ）タイプメンブレンフィルタ（孔径０．２μｍ）を用いてろ過することで、シアンインクＣ１〜Ｃ６およびＣ７ｃ〜Ｃ１１ｃを得た。なお、表４において、染料（Ｃ−１ａ）〜（Ｃ−１ｅ）は、それぞれ、前記化学式（Ｃ−１ａ）〜（Ｃ−１ｅ）で表される化合物であり、染料（Ｃ−２ａ）〜（Ｃ−２ｄ）は、それぞれ、前記化学式（Ｃ−２ａ）〜（Ｃ−２ｄ）で表される化合物である。
【０２６２】
各イエローインクの組成を、表２に示す。また、各マゼンタインクの組成を、表３に示す。さらに、各シアンインクの組成を、表４に示す。
【０２６３】
【表２】
0005522502.tif 000039
【０２６４】
【表３】
0005522502.tif 000040
【０２６５】
【表４】
0005522502.tif 000041
【０２６６】
［実施例１〜５、比較例１〜７および参考例１〜２］
〔インクジェット記録用インクセットの構成〕
表５および表６に示すようにイエローインク、マゼンタインクおよびシアンインクを組み合わせて、インクジェット記録用インクセットを構成した。
【０２６７】
各実施例、各比較例および各参考例のインクセットについて、（ａ）保存安定性評価、（ｂ）耐オゾン性評価、（ｃ）耐光性評価、（ｄ）発色性評価、（ｅ）印字品質評価（ブリーディング）、（ｆ）噴射安定性評価、（ｇ）ゴム析出性評価、および（ｈ）総合評価を、下記の方法により行った。なお、（ｂ）耐オゾン性評価用および（ｃ）耐光性評価用のサンプルは、つぎのようにして準備した。
【０２６８】
各実施例、各比較例および各参考例のインクセットを構成するイエローインク、マゼンタインクおよびシアンインクを、ぞれぞれインクカートリッジに充填し、前記インクカートリッジをブラザー工業（株）製のインクジェットプリンタ搭載デジタル複合機ＤＣＰ−３３０Ｃに装着した。ついで、ブラザー工業（株）製の写真光沢紙ＢＰ６１ＧＬＡに前記インクの単色グラデーションサンプルをプリントし、初期ＯＤ値１．０の各単色パッチを得た。前記ＯＤ値は、Ｇｒｅｔａｇ  Ｍａｃｂｅｔｈ社製の分光測色計Ｓｐｅｃｔｒｏｌｉｎｏ（光源：Ｄ６５；視野：２°；ｓｔａｔｕｓ  Ａ）により測定した。
【０２６９】
（ａ）保存安定性評価
各実施例、各比較例および各参考例のインクセットを構成する各インクを純水によって１６００倍に希釈した希釈液の最大吸収ピーク波長における吸光度を、（株）島津製作所製の紫外可視近赤外分光光度計ＵＶ３６００を用いて測定した。前記吸光度の測定には、セル長１０ｍｍの測定セルを用いた。ついで、別途、前記インクを密閉容器に入れ、温度６０℃の環境下で、２週間保存した。つぎに、前記保存後の前記インクを純水によって１６００倍に希釈した希釈液の吸光度を、保存前と同様にして、測定した。つぎに、下記式（Ｉ）により吸光度減少率（％）を求め、インクセットとしての保存安定性を下記の評価基準に従って評価した。なお、前記吸光度減少率が小さいほど、保存安定性に優れていたこととなる。
吸光度減少率（％）＝｛（Ｘ−Ｙ）／Ｘ｝×１００      ・・・（Ｉ）
Ｘ：保存前の吸光度
Ｙ：保存後の吸光度
【０２７０】
保存安定性評価基準
ＡＡ：インクの吸光度減少率がいずれも５％未満
Ａ  ：少なくとも一色のインクの吸光度減少率が５％以上１０％未満であり、残りのインクの吸光度減少率が５％未満
Ｃ  ：少なくとも一色のインクの吸光度減少率が１０％以上
【０２７１】
（ｂ）耐オゾン性評価
スガ試験機（株）製のオゾンウェザーメーターＯＭＳ−Ｈを用いて、オゾン濃度２ｐｐｍ、槽内温度２４℃、槽内相対湿度６０％の条件下に前記各単色パッチを８０時間放置した。前記放置後の前記各単色パッチのＯＤ値を測定した。下記式（ＩＩ）によりＯＤ値減少率（％）を求め、耐オゾン性を下記の評価基準に従って評価した。なお、前記ＯＤ値減少率が小さいほど、画質の劣化が少なく、耐オゾン性に優れていたこととなる。
ＯＤ値減少率（％）＝｛（Ｘ−Ｙ）／Ｘ｝×１００      ・・・（ＩＩ）
Ｘ：１．０（初期ＯＤ値）
Ｙ：放置後のＯＤ値
【０２７２】
耐オゾン性評価基準
Ａ：インクのＯＤ値減少率がいずれも３０％未満であって、各インク間のＯＤ値減少率の差の最大値が２０％未満
Ｃ：少なくとも一色のインクのＯＤ値減少率が３０％以上であるか、いずれかのインク間のＯＤ値減少率の差の最大値が２０％以上
【０２７３】
（ｃ）耐光性評価
スガ試験機（株）製の強エネルギーキセノンウェザーメーターＳＣ７５０―ＷＮを用いて、槽内温度２５℃、槽内相対湿度５０％、照度９３ｋｌｘの条件下、前記各単色パッチにキセノンランプ光を２００時間照射した。前記照射後の前記各単色パッチのＯＤ値を測定した。下記式（ＩＩＩ）によりＯＤ値減少率（％）を求め、耐光性を下記の評価基準に従って評価した。なお、前記ＯＤ値減少率が小さいほど、画質の劣化が少なく、耐光性に優れていたこととなる。
ＯＤ値減少率（％）＝｛（Ｘ−Ｙ）／Ｘ｝×１００      ・・・（ＩＩＩ）
Ｘ：１．０（初期ＯＤ値）
Ｙ：照射後のＯＤ値
【０２７４】
耐光性評価基準
Ａ：インクのＯＤ値減少率がいずれも３０％未満であって、各インク間のＯＤ値減少率の差の最大値が２０％未満
Ｃ：少なくとも一色のインクのＯＤ値減少率が３０％以上であるか、いずれかのインク間のＯＤ値減少率の差の最大値が、２０％以上
【０２７５】
（ｄ）発色性評価
各実施例、各比較例および各参考例のインクセットを構成するイエローインク、マゼンタインクおよびシアンインクを、それぞれインクカートリッジに充填し、前記インクカートリッジを、ブラザー工業（株）製のインクジェットプリンタ搭載デジタル複合機ＤＣＰ−３３０Ｃに装着した。つぎに、ブラザー工業（株）製の写真光沢紙ＢＰ６０ＧＬＡに自然画像サンプル（ＪＩＳ  ＳＣＩＤ  Ｎｏ．２）をプリントした。この自然画像サンプルを、目視にて観察し、単色または各色を組み合わせた色が充分に表現されているか否かを、下記の評価基準に従って評価した。
【０２７６】
発色性評価基準
ＡＡ：単色および各色を組み合わせた色が充分に表現できている
Ａ  ：単色がそれぞれ、充分に表現できている
Ｃ  ：単色および各色を組み合わせた色のいずれも充分に表現できていない
【０２７７】
（ｅ）印字品質評価（ブリーディング）
ブラザー工業（株）製のインクジェットプリンタ搭載デジタル複合機ＤＣＰ−３３０Ｃを使用し、富士通コワーコ（株）製のオフィス用紙Ｗ上に、背景が各実施例、各比較例および各参考例のインクセットを構成するイエローインク、マゼンタインクおよびシアンインク、ラインがブラザー工業（株）製のインクカートリッジＬＣ１０ＢＫに充填されたブラックインクとなる評価サンプルの印画を行った。イエローインク、マゼンタインクおよびシアンインクと前記ブラックインクとの境界部のＲａｇを、ＩＳＯ１３６６０に準ずる方法により測定した。ここで、Ｒａｇとは、ＩＳＯ１３６６０で定義されたラインのラジェットネスであり、ラジェットなラインとは、本来スムーズで真っ直ぐなはずの理想のラインエッジに対して波打っている状態を示す。得られたＲａｇから、下記の評価基準に従って評価した。
【０２７８】
印字品質評価（ブリーディング）基準
Ａ：インクにおいて、ラインのＲａｇがいずれも１８未満
Ｃ：いずれかのインクにおいて、ラインのＲａｇが１８以上
【０２７９】
（ｆ）噴射安定性評価
各実施例、各比較例および各参考例のインクセットを構成するイエローインク、マゼンタインクおよびシアンインクのそれぞれについて、ブラザー工業（株）製のインクジェットプリンタ搭載デジタル複合機ＤＣＰ−３３０Ｃを使用し、富士通コワーコ（株）製のオフィス用紙Ｗ上に、解像度６００ｄｐｉ×６００ｄｐｉで、被覆率１００％のベタ印字を行い、２０枚の評価サンプルを作製した。前記評価サンプルにおける印字不良（不吐出および噴射乱れ）の有無を目視にて観察し、下記の評価基準に従って評価した。
【０２８０】
噴射安定性評価基準
Ａ：インクにおいて、いずれにも印字不良が見られなかった
Ｃ：いずれかのインクにおいて、印字不良が見られた
【０２８１】
（ｇ）ゴム析出性評価
各実施例および各比較例のインクセットを構成するイエローインク、マゼンタインクおよびシアンインクそれぞれについて、インク１ｇあたりの接触面積が３０ｍｍ２となる条件で、前記インクにゴム片（エチレンプロピレンゴム（ＥＰＤＭ）；ゴム硬度（旧ＪＩＳ  Ｋ  ６３０１  Ａ型による測定）４０°）を浸漬させ、温度７０℃の環境下で１週間保存した。前記保存後、前記インクから前記ゴム片を取り出した後、前記インクを東洋濾紙（株）製の親水性ポリテトラフルオロエチレン（ＰＴＦＥ）タイプメンブレンフィルター（孔径：０．２μｍ；直径：１５ｍｍ）でろ過し、ろ過に要する時間を計測した。コントロールとして、前記保存前のインクを、前述と同様の条件でろ過し、ろ過に要する時間を計測した。つぎに、下記式（ＩＶ）によりろ過時間の増加率を求め、ゴム析出性を、下記の評価基準に従って評価した。
ろ過時間の増加率＝Ｙ／Ｘ      ・・・（ＩＶ）
Ｘ：保存前のろ過時間
Ｙ：保存後のろ過時間
【０２８２】
（ｇ）ゴム析出性評価
各実施例、各比較例および各参考例のインクセットを構成するイエローインク、マゼンタインクおよびシアンインクそれぞれについて、インク１ｇあたりの接触面積が３０ｍｍ２となる条件で、前記インクにゴム片（エチレンプロピレンゴム（ＥＰＤＭ）；ゴム硬度（旧ＪＩＳ  Ｋ  ６３０１  Ａ型による測定）４０°）を浸漬させ、温度７０℃の環境下で１週間保存した。前記保存後、前記インクから前記ゴム片を取り出した後、前記インクを東洋濾紙（株）製の親水性ポリテトラフルオロエチレン（ＰＴＦＥ）タイプメンブレンフィルター（孔径：０．２μｍ；直径：１５ｍｍ）でろ過し、ろ過に要する時間を計測した。コントロールとして、前記保存前のインクを、前述と同様の条件でろ過し、ろ過に要する時間を計測した。つぎに、下記式（ＩＶ）によりろ過時間の増加率を求め、ゴム析出性を、下記の評価基準に従って評価した。
【０２８３】
（ｈ）総合評価
各インクセットについて、前記（ａ）〜（ｇ）の結果から、下記の評価基準に従って総合評価を行った。
【０２８４】
総合評価基準
Ｇ  ：評価結果のいずれにもＣはなかった
ＮＧ：評価結果のいずれかにＣがあった
【０２８５】
各実施例のインクセットの構成および評価結果を表５に示す。また、各比較例および各参考例のインクセットの構成および評価結果を表６に示す。
【０２８６】
【表５】
0005522502.tif 000042
【０２８７】
【表６】
0005522502.tif 000043
【０２８８】
前記表５に示すとおり、実施例１〜５のインクセットは、保存安定性評価、耐オゾン性評価、耐光性評価、発色性評価、印字品質評価（ブリーディング）、噴射安定性評価およびゴム析出性評価のすべての結果が、良好であった。また、前記表５および表６に示すとおり、実施例１〜５のインクセットでは、保存安定性評価の結果が「ＡＡ」であったのに対し、比較例７および参考例１、２のインクセットでは、保存安定性評価の結果が「Ａ」であった。
【０２８９】
一方、前記表６に示すとおり、比較例１のインクセットは、イエローインクが染料（Ｙ−１）を含まないため耐オゾン性評価、耐光性評価の結果が劣っており、マゼンタインクのＤＰＰの配合量が少ないため印字品質評価（ブリーディング）の結果が劣っており、シアンインクが染料（Ｃ−２）を含まないため発色性評価の結果が劣っていた。さらに、イエローインクとマゼンタインク間、イエローインクとシアンインク間の耐オゾン性評価、耐光性評価におけるＯＤ値減少率の差も大きく、色バランスが悪かった。
【０２９０】
また、比較例２のインクセットは、イエローインクが染料（Ｙ−１）を含まないため耐オゾン性評価、耐光性評価の結果が劣っており、マゼンタインクのＤＰＰの配合量が多いため噴射安定性評価の結果が劣っており、シアンインクが染料（Ｃ−１）を含まないため耐オゾン性評価の結果が劣っていた。さらに、イエローインクとマゼンタインク間、イエローインクとシアンインク間の耐オゾン性評価および耐光性評価におけるＯＤ値減少率の差も大きく、マゼンタインクとシアンインク間の耐オゾン性評価におけるＯＤ値減少率の差も大きく、色バランスが悪かった。
【０２９１】
また、比較例３のインクセットは、マゼンタインクの一般式（１）で表される界面活性剤の配合量が少ないため印字品質評価（ブリーディング）の結果が劣っており、シアンインクが染料（Ｃ−１）を含まないため耐オゾン性評価の結果が劣っていた。さらに、イエローインクとシアンインク間、マゼンタインクとシアンインク間の耐オゾン性評価におけるＯＤ値減少率の差も大きく、色バランスが悪かった。
【０２９２】
また、比較例４のインクセットは、マゼンタインクの一般式（１）で表される界面活性剤の配合量が多いためゴム析出性評価の結果が劣っており、シアンインクが染料（Ｃ−１）を含まないため耐オゾン性評価の結果が劣っていた。さらに、イエローインクとシアンインク間、マゼンタインクとシアンインク間の耐オゾン性評価におけるＯＤ値減少率の差も大きく、色バランスが悪かった。
【０２９３】
また、比較例５のインクセットは、マゼンタインクがＤＰＰを含まず、ＤＰＰの代わりにジプロピレングリコールメチルエーテルを配合しているため印字品質評価（ブリーディング）の結果が劣っており、シアンインクが染料（Ｃ−１）および染料（Ｃ−２）を含まないため耐オゾン性評価、耐光性評価の結果が劣っていた。さらに、イエローインクとシアンインク間、マゼンタインクとシアンインク間の耐オゾン性評価におけるＯＤ値減少率の差も大きく、色バランスが悪かった。
【０２９４】
また、比較例６のインクセットは、マゼンタインクがＤＰＰを含まず、ＤＰＰの代わりにジプロピレングリコールブチルエーテルを配合しているためゴム析出性評価の結果が劣っていた。
【０３００】
また、比較例７のインクセットは、マゼンタインクが染料（Ｍ−１）および染料（Ｍ−２）を含まないため耐オゾン性評価、耐光性評価、発色性評価の結果が劣っており、シアンインクが染料（Ｃ−２）を含まないため発色性評価の結果が劣っていた。さらに、イエローインクとマゼンタインク間、マゼンタインクとシアンインク間の耐オゾン性評価、耐光性評価におけるＯＤ値減少率の差も大きく、色バランスが悪かった。
【産業上の利用可能性】
【０３０１】
以上のように、本発明のインクセットは、記録物の耐光性、耐オゾン性等の堅牢性に優れ、且つ、たとえ退色したとしても、画像の色バランス変化の少ないものである。本発明のインクセットの用途は、限定されず、各種のインクジェット記録に広く適用可能である。
【図面の簡単な説明】
【０３０２】
【図１】図１は、本発明のインクジェット記録装置の構成の一例を示す概略斜視図である。
【符号の説明】
【０３０３】
１          インクジェット記録装置
２          インクカートリッジ
３          インクジェットヘッド
４          ヘッドユニット
５          キャリッジ
６          駆動ユニット
７          プラテンローラ
８          パージ装置
９          キャリッジ軸
１０        ガイド板
【図１】
0005522502.tif 000071